(57)【特許請求の範囲】
【請求項１】
第１部材と、第２部材と、前記第１部材と前記第２部材との結合状態を解除不可に封止する封止手段とを備えた遊技機において、
前記第１部材と前記第２部材の少なくとも一方と前記封止手段とを連結する連結部を備え、
前記連結部は、前記封止手段による封止を解除する場合に前記第１部材と前記第２部材の少なくとも一方と前記封止手段とを切り離すために切断される被切断部位を備え、
少なくとも前記被切断部位の内部を通すようにして前記第１部材または前記第２部材から前記連結部または前記封止手段まで設けられた、当該連結部の切断を知らせるための伝送部材と、
前記被切断部位の切断に伴って切断された前記伝送部材の切断端部位が当該被切断部位の切断面から内側に引き込まれるように付勢する付勢手段と、
を備えていることを特徴とする遊技機。
【発明の詳細な説明】
【技術分野】
【０００１】
この発明は、パチンコ機、スロットマシン等の遊技機に関する。
【背景技術】
【０００２】
従来、遊技機の代表例として例えばスロットマシンがある。このスロットマシンは、例えば、その筐体内部の所定箇所に、遊技を制御する制御基板を基板ケースに収容した制御装置が配設されている。この基板ケースは、例えば、その内部に制御基板を被包して収容するためのベース部とカバー部とを備えている。また、この基板ケースには、このケースを開封不可に封止するための封止機構を備えている。この封止機構と基板ケースとを連結する連結部を切断しない限り、基板ケースが開封できない構造となっており、その連結部を切断してケースを開封した場合には、連結部の切断痕跡に基づいて開封（正規開封、不正開封の種類を問わず）の有無が確認でき、不正開封防止が図られている（例えば、特許文献１参照）。
【先行技術文献】
【特許文献】
【０００３】
【特許文献１】特開２００５−１１１０２７号公報
【発明の開示】
【発明が解決しようとする課題】
【０００４】
しかしながら、このような構成を有する従来例の場合には、次のような問題がある。
すなわち、上述のパチンコ機では、不正行為者によって、連結部が切断されて基板ケースが不正に開封され、制御基板に不正を施した後に、その切断された封止機構を元通りに配置し直したりするおそれがある。この場合には、連結部の切断痕跡を発見がし辛く、基板ケースの不正な開封の発見が遅れてしまうという問題がある。
【０００５】
本発明は、このような事情等に鑑みてなされたものであって、不正行為を低減できる遊技機を提供することを目的とする。
【課題を解決するための手段】
【０００６】
この発明は、このような目的を達成するために、次のような構成をとる。
すなわち、請求項１に記載の発明は、
第１部材と、第２部材と、前記第１部材と前記第２部材との結合状態を解除不可に封止する封止手段とを備えた遊技機において、
前記第１部材と前記第２部材の少なくとも一方と前記封止手段とを連結する連結部を備え、
前記連結部は、前記封止手段による封止を解除する場合に前記第１部材と前記第２部材の少なくとも一方と前記封止手段とを切り離すために切断される被切断部位を備え、
少なくとも前記被切断部位の内部を通すようにして前記第１部材または前記第２部材から前記連結部または前記封止手段まで設けられた、当該連結部の切断を知らせるための伝送部材と、
前記被切断部位の切断に伴って切断された前記伝送部材の切断端部位が当該被切断部位の切断面から内側に引き込まれるように付勢する付勢手段と、
を備えていることを特徴とするものである。
【０００７】
［作用・効果］請求項１に記載の発明によれば、第１部材と第２部材との結合状態を解除するために、連結部の被切断部位が切断されると、この被切断部位の内部の伝送部材も切断される。伝送部材が切断されたことで、連結部の切断を知らせることができる。さらに、切断された伝送部材の切断端部位は、付勢手段によって、被切断部位の切断面から内側に引き込まれてしまうので、切断された伝送部材の切断端部位にアクセスすることが困難になり、伝送部材の切断端部位を不正に再接続することを低減できる。
【発明の効果】
【０００８】
この発明に係る遊技機によれば、不正行為を低減できる遊技機を提供することができる。
【図面の簡単な説明】
【０００９】
【図１】実施例１のスロットマシンの前面扉を閉じた状態の斜視図である。
【図２】実施例１のスロットマシンの正面図である。
【図３】前面扉を取り外した状態でのスロットマシンの内部を示す図である。
【図４】前面扉の裏面図である。
【図５】主制御装置が取り付けられた状態の取付台を示す斜視図である。
【図６】取付台と主制御装置の分解斜視図である。
【図７】主制御装置の正面図である。
【図８】（ａ）〜（ｆ）は、その順にケース下の上面図、左側面図、正面図、右側面図、裏面図、下面図である。
【図９】（ａ）〜（ｆ）は、その順にケース上の上面図、左側面図、正面図、右側面図、裏面図、下面図である。
【図１０】ケース上とケース下の斜視図である。
【図１１】（ａ）〜（ｈ）は、その順にかしめピンの上面図、左側面図、正面図、右側面図、裏面図、下面図、正面右上方から見た斜視図、裏面右上方から見た斜視図である。
【図１２】（ａ）は主制御装置の図７に示したＡ−Ａ線断面図、（ｂ）は主制御装置の図７に示したＢ−Ｂ線断面図である。
【図１３】（ａ）は、図１２（ａ）でのかしめピンの挿入前で且つ硬化前樹脂の充填前の状態を示す断面図、（ｂ）は実施例１の封止部材に間隙部を設けた断面図である。
【図１４】実施例１の封止部材の有底係止穴に脆弱部を設けた正面図である。
【図１５】封止部材の連結部が切断されていない状態の主制御装置の図７に示したＣ―Ｃ線断面図である。
【図１６】封止部材の連結部が切断された状態の主制御装置の図７に示したＣ―Ｃ線断面図である。
【図１７】（ａ）は、連結部の切断前状態の主制御装置の右下の封止部材の箇所を示す部分正面図であり、（ｂ）は、連結部の切断後状態の封止部材の箇所を示す部分正面図である。
【図１８】連結部の切断箇所を発光させた状態の主制御装置の図７に示したＣ―Ｃ線断面図である。
【図１９】封止部材の連結部が切断されていない状態における実施例２の主制御装置の図７に示したＣ―Ｃ線断面図である。
【図２０】封止部材の連結部が切断された状態の実施例２の主制御装置の図７に示したＣ―Ｃ線断面図である。
【図２１】（ａ）は連結部の切断前状態の実施例２の主制御装置の右下の封止部材の箇所を示す部分正面図であり、（ｂ）は連結部の切断後状態の封止部材の箇所を示す部分正面図である。
【図２２】封止部材の連結部が切断されていない状態における実施例３の主制御装置の図７に示したＣ―Ｃ線断面図である。
【図２３】封止部材の連結部が切断された状態の実施例３の主制御装置の図７に示したＣ―Ｃ線断面図である。
【図２４】（ａ）は連結部の切断前状態の実施例３の主制御装置の右下の封止部材の箇所を示す部分正面図であり、（ｂ）は連結部の切断後状態の封止部材の箇所を示す部分正面図である。
【図２５】（ａ）は連結部の切断前状態の実施例４の主制御装置の右下の封止部材の箇所を示す部分正面図であり、（ｂ）は連結部の切断後状態の封止部材の箇所を示す部分正面図である。
【図２６】（ａ）〜（ｇ）は、その順に、実施例５のかしめピンの上面図、左側面図、正面図、右側面図、裏面図、下面図、正面右上方から見た斜視図である。
【図２７】（ａ）〜（ｄ）は、その順に、実施例５の被封止部の正面図、右側面、下面図、正面右上方から見た一部斜視図である。
【図２８】（ａ）〜（ｇ）は、その順に、実施例６のかしめピンの上面図、左側面図、正面図、右側面図、裏面図、下面図、正面右上方から見た斜視図である。
【図２９】（ａ）〜（ｄ）は、その順に、実施例６の被封止部の正面図、右側面、下面図、正面右上方から見た一部斜視図である。
【図３０】（ａ）は、実施例６でのかしめピンの挿入係止状態の被封止部の断面図、（ｂ）は、実施例６でのかしめピンを被封止部に挿入する様子を示す斜視図である。
【図３１】（ａ）〜（ｇ）は、その順に、実施例７のかしめピンの上面図、左側面図、正面図、右側面図、裏面図、下面図、正面右上方から見た斜視図である。
【図３２】（ａ）〜（ｄ）は、その順に、実施例７の被封止部の正面図、右側面、下面図、正面右上方から見た一部斜視図である。
【図３３】（ａ）は、実施例７でのかしめピンの挿入係止状態の被封止部の断面図、（ｂ）は、実施例７でのかしめピンを被封止部に挿入する様子を示す斜視図である。
【図３４】（ａ），（ｂ）は、変形例でのかしめピンの挿入係止状態の被封止部の断面図である。
【図３５】変形例でのかしめピンの挿入係止状態の被封止部の断面図である。
【図３６】変形例でのかしめピンの斜視図である。
【図３７】（ａ）〜（ｄ）は、変形例での光ファイバーの係止固定構成を示す概略断面図である。
【図３８】実施例８の主制御装置の正面図である。
【図３９】連結部が切断される前の主制御装置における封止部材箇所を示す部分正面図である。
【図４０】主制御装置のＤ−Ｄ線断面図である。
【図４１】封止部材の連結部が切断された状態の主制御装置のＤ―Ｄ線断面図である。
【図４２】（ａ）は連結部の切断前の主制御装置における封止部材箇所を示す部分正面図であり、（ｂ）は連結部の切断の主制御装置における封止部材箇所を示す部分正面図である。
【図４３】連結部の切断箇所を発光させた状態の主制御装置のＤ―Ｄ線断面図である。
【発明を実施するための形態】
【００１０】
以下、遊技機の一例としてスロットマシンの各種の実施の形態を、図面に基づいて詳細に説明する。なお、本発明を弾球遊技機の一種であるパチンコ遊技機（以下、単に「パチンコ機」という）、特に、第１種パチンコ遊技機や第３種パチンコ遊技機（権利物とも呼ばれる）、コイン遊技機等の他の遊技機に用いることは、当然に可能である。
【実施例１】
【００１１】
図１は、実施例１のスロットマシン１０の前面扉を閉じた状態の斜視図である。図２は、実施例１のスロットマシン１０の正面図である。図３は、前面扉１２を取り外した状態でのスロットマシン１０の内部を示す図である。図４は、前面扉１２の裏面図である。
【００１２】
本実施例のスロットマシン１０は、図１に示すように、本体１１と、この本体１１の前面側に位置する前面扉１２とを備えている。前面扉１２は、図１，図２に示すように、その左辺を回転軸Ｊ１として、本体１１に回動可能（開閉可能）に取り付けられている。また、スロットマシン１０は、図１，図２に示すように、前面扉１２を閉じた状態で施錠装置２０により前面扉１２と本体１１とを施錠可能となっている。
【００１３】
前面扉１２には、図１，図２に示すように、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、左回胴Ｌと中回胴Ｍと右回胴Ｒ（図３参照）とをそれぞれ透視可能な遊技パネル３０と、略中段付近にて各種ボタン５１，５３〜５６，６１，６３やスタートレバー５２やメダル投入口５７が設けられた操作部５０と、機種名や遊技に関わるキャラクタなどが表示された下段表示部１６と、メダル払出口１７から払い出された遊技用媒体としてのメダルを受けるメダル受け皿１８とが装着されている。
【００１４】
また、スロットマシン１０の内部には、図３に示すように、オンされるとスロットマシン１０の各部に電源を供給する電源スイッチ８１を備えている電源ボックス８５や、溢れるメダルの外部への誘導口８９を有し投入されたメダルを貯留する補助タンク８７とこの補助タンク８７内のメダルを払出用通路９２（図４参照）に通じる開口９３（図４参照）を介してメダル払出口１７へ払い出す払出装置８８とから構成されているホッパ８６や、ＣＰＵを中心とするマイクロコンピュータとして構成されており処理プログラムを記憶するＲＯＭや一時的にデータを記憶するＲＡＭや入出力処理回路がバスによって接続されている主制御装置７０や、ＣＰＵを中心とするマイクロコンピュータとして構成されており主制御装置７０からの出力信号による液晶ディスプレイ１５の表示内容の制御を行う表示用制御装置９４（図４参照）が装着されている。なお、この表示用制御装置９４は、図４に示すように、前面扉１２の裏面側の上部箇所に取り付けられている。
【００１５】
遊技パネル３０は、図１に示すように、左回胴Ｌ、中回胴Ｍ、右回胴Ｒ（図３参照）の停止中または回転中の様子を外部に露出する露出窓３１Ｌ，３１Ｍ，３１Ｒを備え、露出窓３１Ｌの左側に配設された５つのベットランプ３２，３３，３３，３４，３４と、この露出窓３１Ｌ，３１Ｍ，３１Ｒの下側に配設されている、スロットマシン内部に貯留されている枚数を表示するものであるクレジット枚数表示部３５と、ビックボーナス時にあと何回ＪＡＣ（ジャック）インできるかとかＪＡＣゲーム時にあと何回ＪＡＣ図柄成立が残っているかといった回数を表示するものであるゲーム数表示部３６と、有効ライン上に同じ図柄が揃って入賞したときに払い出された枚数を表示するものである払出枚数表示部３７とを備えている。
【００１６】
操作部５０は、図１，図２に示すように、前面扉１２の前面部に設けられたクレジットボタン５１と、スタートレバー５２と、左回胴用ストップボタン５３と、中回胴用ストップボタン５４と、右回胴用ストップボタン５５と、返却ボタン５６と、前面扉１２の水平段部に設けられたメダル投入口５７と、１枚ベットボタン６１と、マックスベットボタン６３とを備えている。
【００１７】
ここで、スロットマシン１０の主制御装置７０およびその取付台１００の構造などについて、図５〜図１３を用いて、もう少し詳細に説明する。
【００１８】
図５は、主制御装置７０が取り付けられた状態の取付台１００を示す斜視図である。図６は取付台１００と主制御装置７０の分解斜視図である。図７は主制御装置７０の正面図である。図８（ａ）〜（ｆ）は、その順にケース下７２の上面図、左側面図、正面図、右側面図、裏面図、下面図である。図９（ａ）〜（ｆ）は、その順にケース上７１の上面図、左側面図、正面図、右側面図、裏面図、下面図である。図１０はケース上７１とケース下７２の斜視図である。図１１（ａ）〜（ｈ）は、その順にかしめピン１６０の上面図、左側面図、正面図、右側面図、裏面図、下面図、正面右上方から見た斜視図、裏面右上方から見た斜視図である。図１２（ａ）は主制御装置７０の図７に示したＡ−Ａ線断面図、図１２（ｂ）は主制御装置７０の図７に示したＢ−Ｂ線断面図である。図１３（ａ）は、図１２（ａ）でのかしめピン１６０の挿入前で且つ硬化前樹脂の充填前の状態を示す断面図、図１３（ｂ）は実施例１の封止部材１４０に間隙部を設けた断面図である。
【００１９】
スロットマシン１０は、図３に示すように、その本体１１の内部上方位置に取り付けられた取付台１００に、当該スロットマシン１０の遊技を統括制御する主制御装置７０が取り付けられている。
【００２０】
取付台１００は、図５，図６に示すように、その正面視で横長の長方形状の金属製枠体１１０と、この金属製枠体１１０の下辺側を回動軸として当該金属製枠体１１０に対して回動可能で主制御装置７０が装着される支持枠体１２０とを備えている。この支持枠体１２０は、図６に示すように当該金属製枠体１１０と平行な起立姿勢の状態と、その上辺側が下辺側を回動軸として手前側に前倒し姿勢となった状態（例えば、約６０度前倒しとなった状態）とに回動可能となっている。
【００２１】
具体的には、支持枠体１２０は、図６に示すように、金属製枠体１１０と平行な背面板部１２１と、この背面板部１２１の両側からそれぞれ手前側に突出した左側面部１２２および右側面部１２３と、この左側面部１２２および右側面部１２３の両下端側を結ぶ底面部１２４とを備えており、平面視で有底略コノ字形状に樹脂成型されたものである。
【００２２】
また、金属製枠体１１０は、図６に示すように、その正面視両側に、支持枠体１２０を係止するための係止爪１１１をそれぞれ備えており、前倒し姿勢であった支持枠体１２０を起立姿勢の状態とすることで、支持枠体１２０の両側所定箇所（左側面部１２２及び右側面部１２３の上部側箇所）に各係止爪１１１がそれぞれ係止され、支持枠体１２０が起立姿勢状で金属製枠体１１０に保持されるようになっている。
【００２３】
主制御装置７０は、図６に示すように、支持枠体１２０の上部から左側面部１２２および右側面部１２３の間に挿入されて、当該支持枠体１２０に装着されるようになっている。
【００２４】
主制御装置７０は、図６に示すように、スロットマシン１０の遊技を統括制御する主制御基板７３と、この主制御基板７３を内部に収容する基板ケース７４とを備えている。
【００２５】
基板ケース７４は、主制御基板７３が取り付けられるケース上７１と、このケース上７１での主制御基板７３の取付面側に合わされるケース下７２とを備え、ケース上７１とケース下７２とを合わせた状態での内部空間に主制御基板７３を収容するものである。本実施例では、ケース上７１およびケース下７２は、例えば透明樹脂成型品としている。
【００２６】
この実施例では、主制御基板７３は、図６に示すように、ＩＣ（集積回路）や各種スイッチ部品やコネクタなどの電子部品が実装される実装面を、ケース上７１の内側面に対向させた状態で、ネジなどの締結部品でケース上７１の内側面の所定箇所に取り付けられる。そして、主制御基板７３が取り付けられたケース上７１にケース下７２を合わせることから、主制御基板７３の半田面は、ケース下７２の内側面に対向した状態となる。
【００２７】
主制御装置７０は、図６に示すように、スロットマシン１０をリセットするときに操作するリセットスイッチ８２や、図示しない設定キーを挿入することにより、スロットマシン１０の設定状態を変更可能にする設定キースイッチ８３を備えている。具体的には、主制御基板７３は、図６に示すように、右端上部箇所に上から順にリセットスイッチ８２と設定キースイッチ８３とを備えており、ケース上７１の右端上部箇所にそれぞれ設けられた開閉蓋７１ａを開いて、リセットスイッチ８２と設定キースイッチ８３とが操作できるようになっている。
【００２８】
基板ケース７４は、図６に示すように、主制御基板７３が取り付けられたケース上７１でのその主制御基板７３の取付面側にケース下７２を合わせた状態でケース上７１またはケース下７２の少なくとも一方を当該合わせ面所定方向（本実施例では、例えば基板ケース７４の短手方向）にスライド移動させることでケース上７１とケース下７２とを係止するケース係止部１３０を備えている。
【００２９】
ケース係止部１３０は、図６に示すように、ケース上７１の両辺箇所（短手辺の両箇所）に当該辺方向に並設された破線で示す複数個（本実施例では４個）の鉤状突起部１３１（図６，図９では見えないため破線で示している）と、ケース下７２の両辺箇所（短手辺の両箇所）に当該辺方向に並設された、鉤状突起部１３１とは逆向きに形成された複数個（本実施例では４個）の逆鉤状突起部１３２とを備えるとともに、図６に示すケース上７１の最上の鉤状突起部１３１がケース下７２の一番上の逆鉤状突起部１３２と２番目の逆鉤状突起部１３２との間に位置させるように当該ケース上７１とケース下７２とを合わせた状態にして、ケース上７１またはケース下７２の少なくとも一方をその短手方向にスライド移動させることで鉤状突起部１３１と逆鉤状突起部１３２とが係止するものである。
【００３０】
また、ケース上７１は、図６，図９（ａ），（ｅ）に示すように、その上面側の所定箇所（例えば３箇所）に嵌合用上部突起７１ｂが形成されている。また、ケース下７２は、図６，図８（ａ）に示すように、その上面側でのケース上７１の嵌合用上部突起７１ｂと対応する３箇所に上部嵌合孔７２ａが形成されている。さらに、ケース上７１は、図９（ｆ）に示すように、その下面側の所定箇所（例えば２箇所）に下部嵌合孔７１ｃが形成されている。また、ケース下７２は、図６，図８（ｃ），（ｅ）に示すように、その下面側でのケース上７１の下部嵌合孔７１ｃと対応する２箇所に嵌合用下部突起７２ｂが形成されている。したがって、基板ケース７４は、図５に示すように、その所定箇所に主制御基板７３が取り付けられたケース上７１での主制御基板７３の取付面側にケース下７２を合わせた状態とすると、ケース上７１の上面側の３箇所の嵌合用上部突起７１ｂが、ケース下７２の上面側の３箇所に上部嵌合孔７２ａに嵌合するとともに、ケース上７１の下面側の２箇所の下部嵌合孔７１ｃに、ケース下７２の下面側の２箇所の嵌合用下部突起７２ｂが嵌合する。
【００３１】
さらに、ケース上７１は、図９に示すように、その下面側の中央箇所に支持用下部突起７１ｄが形成されている。また、本体１１の取付台１００の支持枠体１２０は、図６に示すように、その下面側でのケース上７１の支持用下部突起７１ｄに対応する箇所に支持用下部嵌合穴１２５が形成されている。また、ケース下７２は、図６に示すように、その上面側の４箇所に支持用上部嵌合孔７２ｃが形成されている。また、本体１１の取付台１００の支持枠体１２０は、図６に示すように、その上面側でのケース下７２の支持用上部嵌合孔７２ｃに対応する箇所に支持用上部突起１２６が形成されている。また、ケース下７２は、図８（ａ），（ｅ）に示すように、その裏面上部中央箇所に係止用突起７２ｄが形成されている。また、本体１１の取付台１００の支持枠体１２０は、図６に示すように、その上部中央箇所に係止用突起７２ｄを係止するための係止用孔１２７が形成されている。したがって、基板ケース７４は、図５に示すように、取付台１００の支持枠体１２０の上部から挿入されて、当該支持枠体１２０に装着された状態とすると、ケース上７１の下面側の中央箇所の支持用下部突起７１ｄが、支持枠体１２０の下面側の支持用下部嵌合穴１２５に嵌合し、ケース下７２の上面側の４箇所の支持用上部嵌合孔７２ｃに、支持枠体１２０の上面側の支持用上部突起１２６が嵌合するとともに、ケース下７２の裏面上部中央箇所の係止用突起７２ｄが、支持枠体１２０の上部中央箇所の係止用孔１２７に係止される。
【００３２】
さらに、基板ケース７４は、図５〜図７に示すように、その所定箇所（例えば、正面視で下部側の２箇所）に、主制御基板７３が取り付けられたケース上７１での主制御基板７３の取付面側にケース下７２を合わせた状態でケース上７１およびケース下７２を封止して当該基板ケース７４を開封不可とする封止部材１４０を備えている。
【００３３】
この封止部材１４０は、図５〜図７に示すように、ケース係止部１３０によって係止状態とされたケース上７１およびケース下７２を開封不可に封止するものである。
【００３４】
また、封止部材１４０は、図５〜図７に示すように、ケース上７１とケース下７２とを合わせた状態での所定箇所（当該封止部材１４０の領域内箇所）に連通形成された有底係止穴１５１を有する被封止部１５０と、この被封止部１５０の有底係止穴１５１に挿入されて係止される挿入係止部１６１と当該挿入係止部１６１の挿入後端側に位置する頭部１６２とを有するかしめピン１６０と、被封止部１５０の有底係止穴１５１にかしめピン１６０を挿入して係止させた状態にて当該被封止部１５０でのかしめピン１６０の頭部１６２の箇所に充填して硬化させた硬化樹脂１７０（図１２参照）と、を備えている。
【００３５】
なお、かしめピン１６０としては、例えば、透明樹脂成形品が挙げられる。この実施例１では、透明樹脂成形品であるかしめピン１６０を採用するが、光透過性のある有色樹脂成形品としてもよい。また、かしめピン１６０内に導光しないのであれば、非光透過性の樹脂成形品のかしめピンを採用してもよい。
【００３６】
なお、硬化樹脂１７０としては、例えば、光透過性の紫外線硬化樹脂を採用しているが、熱硬化性樹脂、紫外線以外の光で硬化する樹脂、例えば常温で所定時間放置することで硬化させる自然硬化樹脂などの各種の硬化樹脂を採用してもよい。
【００３７】
本実施例では、図６に示すように、基板ケース７４の下部両側の２箇所に、被封止部１５０が設けられており、各被封止部１５０にかしめピン１６０が挿入されて係止される。
【００３８】
かしめピン１６０の頭部１６２は、図１１に示すように、硬化樹脂１７０により被封止部１５０に接着された脆弱部１６３を備えている。この脆弱部１６３は、かしめピン１６０の挿入方向とは直交する方向に頭部１６２から複数本（本実施例では６本）延出した６本の延出部１６４である。
【００３９】
被封止部１５０は、図５，図１２に示すように、有底係止穴１５１の入口側周囲箇所に、かしめピン１６０が挿入係止された状態での頭部１６２が位置する窪み空間を有するものであって、その窪み空間内に硬化前樹脂が充填される受容凹部１５２を備えている。
【００４０】
被封止部１５０は、図５〜図１０に示すように、ケース下７２に設けられた突出部７２ｅと、ケース上７１とケース下７２とを合わせた状態とすることでその突出部７２ｅが挿入される、ケース上７１に設けられた収容穴７１ｈを有する収容部７１ｅと、を備えている。
【００４１】
有底係止穴１５１は、図１３に示すように、突出部７２ｅにその突出方向と直交する方向に貫通形成された貫通孔７２ｆと、突出部７２ｅが収容部７１ｅの収容穴７１ｈに挿入された状態で貫通孔７２ｆの一方の開口側に当該収容部７１ｅに連通形成された挿入穴部７１ｆと、貫通孔７２ｆの他方の開口側に当該収容部７１ｅに連通形成された挿入貫通孔７１ｇとで構成されている。
【００４２】
また、封止部材１４０は、図６，図７および図１２に示すように、ケース上７１およびケース下７２のスライド移動を抑止するように固定するものであり、さらに、ケース上７１およびケース下７２のスライド移動不可状態を解除するべく破壊される、ケース上７１およびケース下７２の所定箇所（例えば、正面視下部側箇所）に形成された固定解除用被破壊部１８０（図８，図９参照）を備えている。
【００４３】
固定解除用被破壊部１８０は、図８（ｃ）に示すようにケース下７２と被封止部１５０とを結ぶ２箇所の連結部１８１と、図９（ｃ）に示すようにケース上７１と被封止部１５０とを結ぶ４箇所の連結部１８１としている。
【００４４】
さらに、基板ケース７４は、図６に示すように、主制御基板７３が取り付けられたケース上７１での主制御基板７３の取付面側にケース下７２を合わせた状態で、ネジ７５をケース下７２のネジ孔７６に挿入してケース上７１に締結するようになっている。
【００４５】
また、主制御装置７０及び支持枠体１２０は、この主制御装置７０を支持枠体１２０に取り付けられた状態で固定するための、封止部材１４０とは別の種類の別封止部材１９０を備えている。この別封止部材１９０は、図６に示すように、基板ケース７４を支持枠体１２０に取り付けた状態での所定箇所に連通形成されたキー溝付きの別挿入穴１９１を有する別被封止部１９２と、この別被封止部１９２の別挿入穴１９１に挿入されて支持枠体１２０の係止穴１２８に係止される二重かしめピン１９３とを備えている。二重かしめピン１９３は、ケース上７１の別挿入穴１９１に挿入されて支持枠体１２０の係止穴１２８に挿入されることで当該係止穴１２８に係止された状態となり、この二重かしめピン１９３を抜くことができないようになっている。したがって、二重かしめピン１９３が別挿入穴１９１に挿入されて係止されると、主制御装置７０が支持枠体１２０に固定された状態となり、図６に示すケース上７１の別被封止部１９２の上下２箇所の接続部位を切断して別被封止部１９２をケース上７１から分離し、この分離された別被封止部１９２を二重かしめピン１９３ごとそのピン方向を回転軸として９０度回転させて、二重かしめピン１９３の係止穴１２８への係止を解除し、分離された別被封止部１９２を二重かしめピン１９３ごと取り外さない限り、主制御装置７０を支持枠体１２０から抜き出すことができない。
【００４６】
なお、この二重かしめピン１９３に替えて、破断ネジやワンウエイネジを使用するようにして主制御装置７０を支持枠体１２０に固定するようにしてもよい。
【００４７】
さらに、主制御装置７０は、図７に示すように、その右下の封止部材１４０の連結部１８１が切断された場合にその切断を知らせる報知表示部３００を備えている。
【００４８】
ここで、報知表示部３００の詳細な構成等について、図１５〜図１７も用いて説明する。
【００４９】
図１５は、封止部材１４０の連結部１８１が切断されていない状態の主制御装置７０の図７に示したＣ―Ｃ線断面図である。図１６は、封止部材１４０の連結部１８１が切断された状態の主制御装置７０の図７に示したＣ―Ｃ線断面図である。図１７（ａ）は、連結部１８１の切断前状態の主制御装置７０の右下の封止部材１４０の箇所を示す部分正面図であり、図１７（ｂ）は、連結部１８１の切断後状態の封止部材１４０の箇所を示す部分正面図である。
【００５０】
まず、封止部材１４０の連結部１８１は、図７に示すように、当該封止部材１４０による封止を解除する場合に、ケース上７１及びケース下７２と封止部材１４０とを切り離すために切断される被切断部位１８２を備えている。
【００５１】
主制御装置７０は、図７に示すように、主制御基板７３に実装されたＬＥＤ３１０（図６参照）と、このＬＥＤ３１０からの光が一端側（入射端側３２１）から入射されて他端側（出射端側３２２）から出射する、ケース上７１に配設された光伝送部材としての光ファイバー３２０と、を備えている。
【００５２】
この光ファイバー３２０は、例えばプラスチック製の光ファイバーであり、図７及び図９に示すように、伸縮性を持たせるためにカールさせたカール部３２３（巻き部）と、そのカール部３２３に比して線状である線状部３２４と、を備えている。この光ファイバー３２０は、そのコア材にプラスチックを採用していることにより、線状部３２４も曲がる等の変形可能な柔軟性のある構造となっている。
【００５３】
なお、カール部３２３を有する光ファイバー３２０およびＬＥＤ３１０の配置について、図７及び図９では概略的に図示し、図１５〜図１７ではさらに具体的に図示している。
【００５４】
図７に示すケース上７１の右側の封止部材１４０には、図１５に示すように、ケース上７１の内側から連結部１８１を通って封止部材１４０の途中箇所までにわたる挿入穴７７が形成されている。
【００５５】
光ファイバー３２０は、図１５及び図１７（ａ）に示すように、その出射端側３２２がケース上７１の挿入穴７７に挿入されており、接続部１８１の切断を知らせるためのものである。つまり、光ファイバー３２０は、その出射端側３２２が連結部１８１の内部を通すようにして封止部材１４０の内部に配設されている。
【００５６】
光ファイバー３２０の出射端側３２２は、例えば接着剤３４０によって、ケース上７１の挿入穴７７の奥側に接着固定されている。挿入穴７７の奥側に接着剤３４０を入れてから光ファイバー３２０の出射端側３２２を挿入して接着固定してもよいし、光ファイバー３２０の出射端側３２２に接着剤３４０を付けた状態でこの光ファイバー３２０を挿入穴７７の奥側に挿入して接着固定してもよい。また、本実施例１のように、光ファイバー３２０の出射端側３２２での光出射箇所に接着剤３４０が位置しているので、光透過性の接着剤を採用している。なお、出射端側３２２での光出射箇所以外の箇所を接着剤３４０で挿入穴７７に接着する場合には、非透過性の接着剤を採用してもよい。
【００５７】
また、光ファイバー３２０の入射端側３２１は、主制御基板７３に実装されたＬＥＤ３１０に対向して近接するように、ケース上７１の内側に設けられた支持部材３５０の貫通孔３５１に挿入され、この挿入状態の光ファイバー３２０が例えば接着剤３４０によって支持部材３５０に接着固定されている。具体的には、支持部材３５０の先端側箇所には、接着剤３４０が入れられる窪み受け部３５２が形成されており、光ファイバー３２０の入射端側３２１を支持部材３５０の貫通孔３５１に挿入した状態で、窪み受け部３５２に接着剤３４０を入れて、光ファイバー３２０の入射端側３２１を支持部材３５０に接着固定している。
【００５８】
また、この実施例１では、主制御基板７３のＬＥＤ３１０と光ファイバー３２０の入射端側３２１とを対向して近接配置しているが、主制御基板７３のＬＥＤ３１０と光ファイバー３２０の入射端側３２１との間に、図示省略の導光部材（例えば、入射面及び出射面以外の外周箇所を遮光面とした導光部品や光学レンズなど）を設けて、ＬＥＤ３１０から出射された光を図示省略の導光部材で光ファイバー３２０の入射端側３２１に導いて入射させるようにしてもよい。
【００５９】
また、図１５に示すように、光ファイバー３２０は、その入射端側３２１と出射端側３２２との間に、例えば巻き数を５回としたカール部３２３を備えている。図１５に示すように、光ファイバー３２０の両端が接着剤３４０で接着固定された状態では、カール部３２３が当該光ファイバー３２０の長さ方向に引き伸ばした状態（引っ張られた状態）となっている。
【００６０】
光ファイバー３２０のカール部３２３は、被切断部位１８２の切断に伴って切断された当該光ファイバー３２０の切断端部位３２０ａが当該被切断部位１８２の切断面から内側に引き込まれるように付勢するためのものである。
【００６１】
また、主制御基板７３は、ＬＥＤ３１０（図６及び図１５参照）を発光させるための二次電池（図示省略）を実装している。この主制御基板７３の二次電池（図示省略）は、スロットマシン１０の電源入状態においてスロットマシン１０から主制御基板７３に供給される電力の一部を用いて充電されているので、スロットマシン１０の電源切状態においても主制御基板７３のＬＥＤ３１０（図６及び図１５参照）を、二次電池（図示省略）からの電力で発光させることができる。また、スロットマシン１０の電源入状態においては、主制御基板７３への供給電力または主制御基板７３の二次電池（図示省略）からの電力により、ＬＥＤ３１０（図６及び図１５参照）を発光させることもできる。なお、二次電池の方が好ましいが、一次電池を採用してもよい。
【００６２】
ＬＥＤ３１０からの光は、光ファイバー３２０の入射端側３２１に入射され、この光ファイバー３２０の内部を通って、封止部材１４０の内部に位置する出射端側３２２から出射される。つまり、被切断部位１８２を切断していない通常状態では、図１５及び図１７（ａ）に示すように、光ファイバー３２０の出射端側３２２から出射された光で封止部材１４０が発光する。
【００６３】
また、この光ファイバー３２０からの光が、被封止部１５０の受容凹部１５２に充填して硬化させた硬化樹脂１７０に入射され、硬化樹脂１７０の少なくとも一部が発光する。また、硬化樹脂１７０に光拡散粒子が含まれる場合には、硬化樹脂１７０を一様に発光させることができる。
【００６４】
また、被切断部位１８２が切断されると、カール部３２３が縮むことで、光ファイバー３２０の切断端部位３２０ａが被切断部位１８２の切断面から内部に引き込まれ、図１６及び図１７（ｂ）に示すように、引き込まれた光ファイバー３２０の切断端部位３２０ａがケース上７１の切断報知用表示箇所７８に位置し、光ファイバー３２０の切断端部位３２０ａから光が出射されることで切断報知用表示箇所７８が発光する。この切断報知用表示箇所７８には、図１７に示すように「切断」の文字が記されており、被切断部位１８２が切断されると図１７（ｂ）に示すように「切断」との表記部分の発光表示にしているため、作業者はその発光表示に気付き易く、封止部材１４０の連結部１８１が切断されたこと見落としが低減する。
【００６５】
なお、ケース上７１の挿入穴７７のうちで切断報知用表示箇所７８に位置する穴内周箇所に、光拡散層を設けるようにし（例えば、光拡散塗料を塗ることや、微小凹凸を形成すること）、発光領域を拡張するようにし、作業者の注意をさらに惹くようにしてもよい。また、上記箇所に蛍光塗料を塗ってもよい。
【００６６】
なお、上述したケース上７１が本発明における第１部材、後述する第１ケース体に相当し、上述したケース下７２が本発明における第２部材、後述する第２ケース体に相当し、上述した封止部材１４０が本発明における封止手段に相当し、上述した封止部材１４０が本発明における封止手段に相当し、上述した光ファイバー３２０が後述する伝送部材、光伝送部材に相当し、上述したカール部３２３が後述する付勢手段に相当し、上述したＬＥＤ３１０が後述する光源に相当し、上述した基板ケース７４が後述する遊技機用基板収容ケースに相当し、上述した有底係止穴１５１が後述する係止穴に相当し、上述したかしめピン１６０が後述する係止部材に相当し、上述したケース係止部１３０が後述する係止手段に相当する。
【００６７】
ここで、実施例１の基板ケース７４の封止手順について説明する。
【００６８】
図６に示すように、ケース上７１の内側面の所定箇所に主制御基板７３をネジ留めする。
【００６９】
図６に示すように、ケース上７１の最上の鉤状突起部１３１を、ケース下７２の一番上の逆鉤状突起部１３２と２番目の逆鉤状突起部１３２との間に位置させるようにして、当該ケース上７１とケース下７２とをほぼ合わせた状態にする。
【００７０】
そして、ケース上７１またはケース下７２の少なくとも一方をその短手方向に鉤状突起部１３１の長さ程度にスライド移動させることで、鉤状突起部１３１と逆鉤状突起部１３２とを係止させるとともに、ケース下７２の突出部７２ｅがケース上７１の収容部７１ｅに収容された状態となり、ケース上７１とケース下７２とが完全に合わせた状態となる。また、この状態では、ケース上７１の上面側の３箇所の嵌合用上部突起７１ｂが、ケース下７２の上面側の３箇所に上部嵌合孔７２ａに嵌合するとともに、ケース上７１の下面側の２箇所の下部嵌合孔７１ｃに、ケース下７２の下面側の２箇所の嵌合用下部突起７２ｂが嵌合している。
【００７１】
続いて、図６に示すように、基板ケース７４の下部両側２箇所の被封止部１５０での有底係止穴１５１に、かしめピン１６０がそれぞれ挿入されて係止される。この状態では、封止部材１４０、つまりかしめピン１６０の挿入係止により、ケース上７１およびケース下７２の短手方向へのスライドができない状態に規制されている。
【００７２】
そして、被封止部１５０でのかしめピン１６０の頭部１６２の箇所に硬化前樹脂を充填し、この充填した硬化前樹脂に紫外線を照射して図１２に示すように硬化させる。
【００７３】
続いて、図６に示すように、ネジ７５が、ケース下７２のネジ孔７６に挿入されてケース上７１に締結される。このように、封止部材１４０のみならずこのネジ留めによっても、ケース上７１およびケース下７２をそのスライド移動を抑止するように固定されている。
【００７４】
さらに、このように封止された基板ケース７４、つまり主制御装置７０を、本体１１の内部上方位置に取り付けられた取付台１００に取り付ける。具体的には、取付台１００の金属製枠体１１０に対して支持枠体１２０を前倒し姿勢とした状態で、この支持枠体１２０の上部側から主制御装置７０を挿入して当該支持枠体１２０に装着する。この装着状態では、ケース上７１の下面側の中央箇所の支持用下部突起７１ｄが、支持枠体１２０の下面側の支持用下部嵌合穴１２５に嵌合し、ケース下７２の上面側の４箇所の支持用上部嵌合孔７２ｃに、支持枠体１２０の上面側の支持用上部突起１２６が嵌合するとともに、ケース下７２の裏面上部中央箇所の係止用突起７２ｄが、支持枠体１２０の上部中央箇所の係止用孔１２７に係止された状態となる。
【００７５】
続いて、支持枠体１２０に装着された主制御装置７０の別被封止部１９２の別挿入穴１９１に二重かしめピン１９３を挿入することで、この二重かしめピン１９３が支持枠体１２０の係止穴１２８に係止され、主制御装置７０が支持枠体１２０に固定される。つまり、この固定状態では、図６に示すケース上７１の上下２箇所の接続部位を切断して別被封止部１９２をケース上７１から分離し、この分離された別被封止部１９２を二重かしめピン１９３ごとそのピン方向を回転軸として９０度回転させて、二重かしめピン１９３の係止穴１２８への係止を解除し、分離された別被封止部１９２を二重かしめピン１９３ごと取り外さない限り、主制御装置７０を支持枠体１２０から抜き出すことができない。
【００７６】
最後に、このように主制御装置７０が装着固定された支持枠体１２０を、前倒し姿勢状態から起立姿勢状態にすることで、支持枠体１２０が起立姿勢で金属製枠体１１０に係止され、主制御装置７０が図３に示すように本体１１の内部上方位置に最終的に取り付けられた状態となる。
【００７７】
上述したように、本実施例１のスロットマシン１０によれば、ケース上７１と、ケース下７２と、ケース上７１とケース下７２との結合状態を解除不可に封止する封止部材１４０とを備え、ケース上７１と封止部材１４０とを連結する連結部１８１を備え、この連結部１８１は、封止部材１４０による封止を解除する場合にケース上７１と封止部材１４０とを切り離すために切断される被切断部位１８２を備え、少なくとも被切断部位１８２の内部を通すようにしてケース上７１から封止部材１４０まで設けられた、当該連結部１８１の切断を知らせるための光ファイバー３２０と、被切断部位１８２の切断に伴って切断された光ファイバー３２０の切断端部位３２０ａが当該被切断部位１８２の切断面から内側に引き込まれるように付勢するカール部３２３と、を備えている。
【００７８】
したがって、ケース上７１とケース下７２との結合状態を解除するために、連結部１８１の被切断部位１８２が切断されると、この被切断部位１８２の内部の光ファイバー３２０も切断される。光ファイバー３２０が切断されたことで、連結部１８１の切断を知らせることができる。さらに、切断された光ファイバー３２０の切断端部位３２０ａは、カール部３２３によって、被切断部位１８２の切断面から内側に引き込まれてしまうので、切断された光ファイバー３２０の切断端部位３２０ａにアクセスすることが困難になり、光ファイバー３２０の切断端部位３２０ａを不正に再接続することを低減できる。その結果、不正行為を低減できるスロットマシン１０（遊技機）を提供することができる。
【００７９】
また、光ファイバー３２０は、ＬＥＤ３１０からの光が入射端側３２１から入射されて、封止部材１４０の内部に位置する出射端側３２２からその光が出射される光伝送部材であり、被切断部位１８２を切断していない通常状態では、光ファイバー３２０の出射端側３２２から出射された光で封止部材１４０が発光し、被切断部位１８２の切断後状態では、引き込まれた光ファイバー３２０の切断端部位３２０ａが位置するケース上７１での切断報知用表示箇所７８が発光する。
【００８０】
したがって、被切断部位１８２を切断していない通常状態では、光ファイバー３２０の出射端側３２２から出射された光で封止部材１４０が発光しているので、発光によって封止部材１４０を注視させることができる。また、被切断部位１８２の切断後状態では、引き込まれた光ファイバー３２０の切断端部位３２０ａがケース上７１での切断報知用表示箇所７８に位置し、この切断報知用表示箇所７８が発光するので、封止部材１４０とは異なる切断報知用表示箇所７８が点灯していることで、連結部１８１の切断を明確に知らせることができる。また、切断された光ファイバー３２０の切断端部位３２０ａは、被切断部位１８２の切断面から内側に引き込まれるので、その切断端部位３２０ａにアクセスすることが困難になり、光ファイバー３２０の切断端部位３２０ａを不正に再接続することを低減できる。
【００８１】
また、この実施例１では、被切断部位１８２の切断後状態において、ケース上７１での切断報知用表示箇所７８が発光するようにしているが、図１８に示すように、引き込まれた光ファイバー３２０の切断端部位３２０ａが位置する連結部１８１の切断箇所を発光させるようにしてもよい。図１８は、連結部１８１の切断箇所を発光させた状態の主制御装置７０の図７に示したＣ―Ｃ線断面図である。この場合には、被切断部位１８２の切断後状態では、引き込まれた光ファイバー３２０の切断端部位３２０ａが位置する、連結部１８１の切断箇所が発光するので、連結部１８１の切断箇所が点灯していることで、連結部１８１の切断を明確に知らせることができる。また、切断された光ファイバー３２０の切断端部位３２０ａは、被切断部位１８２の切断面から内側に引き込まれるので、その切断端部位３２０ａにアクセスすることが困難になり、光ファイバー３２０の切断端部位３２０ａを不正に再接続することを低減できる。
【００８２】
また、遊技機についての所定の遊技に関する制御を司る主制御基板７３を内部に収容する基板ケース７４を備えた遊技機において、基板ケース７４は、ケース上７１と、このケース上７１と合わされるケース下７２とを備え、基板ケース７４は、その所定箇所（例えば、正面視で下部側の２箇所）に、主制御基板７３が取り付けられたケース上７１でのその主制御基板７３の取付面側にケース下７２を合わせた状態でケース上７１およびケース下７２を封止して当該基板ケース７４を開封不可とする封止部材１４０を備え、この封止部材１４０は、ケース上７１とケース下７２とを合わせた状態での所定箇所に連通形成された有底係止穴１５１を有する被封止部１５０と、この被封止部１５０の有底係止穴１５１に挿入されて係止される挿入係止部１６１と当該挿入係止部１６１の挿入後端側に位置する頭部１６２とを有するかしめピン１６０と、被封止部１５０の有底係止穴１５１にかしめピン１６０を挿入して係止させた状態にて当該被封止部１５０でのかしめピン１６０の頭部１６２の箇所に充填して硬化させた硬化樹脂１７０と、を備え、かしめピン１６０の頭部１６２は、硬化樹脂１７０により被封止部１５０に接着された脆弱部１６３を備えている。したがって、例えば、封止部材１４０の硬化樹脂１７０を不正な細状部材を用いて除去しようとすると、硬化樹脂１７０の不正な除去に伴ってかしめピン１６０の頭部１６２の脆弱部１６３が破壊され、その除去した硬化樹脂１７０と一緒に脆弱部１６３が取れてしまうので、この脆弱部１６３が取れたかしめピン１６０を不正に再使用しても、そのかしめピン１６０の頭部１６２の脆弱部１６３の破損を見ることで、基板ケース７４が開封されたことがわかる。その結果、スロットマシン１０に取り付けられた基板ケース７４の開封を低減できるし、いわゆる二個一で基板ケース７４を不正に作ること（二個の基板ケース７４から無傷のケース上７１とケース下７２とを取り出して一個の基盤ケース７４を作ること）を低減できることから、不正行為を低減できるスロットマシン（遊技機）を提供することができる。
【００８３】
また、被封止部１５０は有底係止穴１５１を採用しているので、この被封止部１５０の裏側（つまり、被封止部１５０での有底係止穴１５１の存する側とは反対側）からのアクセスを不可とすることができる。
【００８４】
また、被封止部１５０での有底係止穴１５１の入口側周囲箇所に設けられた受容凹部１５２は、その窪み空間内に、かしめピン１６０が挿入係止された状態での当該かしめピン１６０の頭部１６２を位置させた状態で、その窪み空間に硬化前樹脂が充填されて硬化されるので、受容凹部１５２の窪み空間内に頭部１６２を位置させた状態で硬化樹脂１７０で覆うことができ、窪み空間の硬化樹脂１７０を不正に除去することが困難であり、硬化樹脂１７０を不正な細状部材を用いて除去しようとすると、硬化樹脂１７０の不正な除去に伴ってかしめピン１６０の頭部１６２の脆弱部１６３が破壊され、その除去した硬化樹脂１７０と一緒に脆弱部１６３が取れてしまうので、この脆弱部１６３が取れたかしめピン１６０を不正に再使用しても、そのかしめピン１６０の頭部１６２の脆弱部１６３の破損を見ることで、基板ケース７４が開封されたことがわかる。その結果、不正行為を低減できる遊技機を提供することができる。
【００８５】
また、脆弱部１６３は、かしめピン１６０の挿入方向とは直交する方向に頭部１６２から複数本延出した複数本の延出部１６４としているので、その複数本の延出部１６４の表面積の分だけ、頭部１６２の硬化樹脂１７０への接着面積を拡大することができ、その拡大した分、頭部１６２と硬化樹脂１７０との接着力が向上するので、硬化樹脂１７０を不正な細状部材を用いて除去しようとすると、硬化樹脂１７０の不正な除去に伴ってかしめピン１６０の頭部１６２の複数本の延出部１６４のうちのいずれかの延出部１６４が破壊され、その除去した硬化樹脂１７０と一緒に一部の延出部１６４が取れてしまうことになり、この延出部１６４が取れたかしめピン１６０を不正に再使用しても、そのかしめピン１６０の頭部１６２の延出部１６４の破損を見ることで、基板ケース７４が開封されたことがわかる。
【００８６】
また、被封止部１５０は、ケース下７２に設けられた突出部７２ｅと、ケース上７１に設けられた、ケース上７１とケース下７２とを合わせた状態とすることで突出部７２ｅが挿入される収容部７１ｅと、を備え、有底係止穴１５１は、突出部７２ｅにその突出方向と直交する方向に貫通形成された貫通孔７２ｆと、突出部７２ｅが収容部７１ｅに挿入された状態で貫通孔７２ｆの一方の開口側に当該収容部７１ｅに連通形成された挿入穴部７１ｆと、貫通孔７２ｆの他方の開口側に当該収容部７１ｅに連通形成された挿入貫通孔７１ｇとで構成されている。したがって、封止部材１４０の存する箇所での当該ケース上７１とケース下７２との境界面ＢＬが収容部７１ｅで囲われているので、当該境界面ＢＬに不正な細状部材の挿入を困難とすることができ、当該境界面ＢＬに不正な細状部材を挿入して封止部材１４０の存する箇所でのケース上７１とケース下７２とを引き離すことを困難とすることができる。また、収容部７１ｅ以外でのケース上７１とケース下７２との境目に不正な細状部材を挿入したとしても、突出部７２ｅの突出方向に力がかかるだけで、当該境界面ＢＬを離す方向つまりかしめピン１６０が抜ける方向には力がかからないので、収容部７１ｅ以外でのケース上７１とケース下７２との境目に無理矢理に不正な細状部材を挿入したとしても、封止部材１４０の封止解除できない。その結果、不正開封を低減できる基板ケース７４を用いた遊技機を提供することができる。
【００８７】
また、基板ケース７４のケース係止部１３０は、主制御基板７３が取り付けられたケース上７１でのその主制御基板７３の取付面側にケース下７２を合わせた状態でケース上７１またはケース下７２の少なくとも一方を当該合わせ面所定方向（本実施例では、例えば基板ケース７４の短手方向）にスライド移動させることで、ケース上７１とケース下７２とを係止する。封止部材１４０は、ケース係止部１３０によって係止状態とされたケース上７１およびケース下７２を開封不可に封止する。したがって、封止部材１４０によってケース上７１およびケース下７２が開封不可に封止されているので、基板ケース７４が不正に開封されることを低減できる。また、この封止状態では、ケース係止部１３０によってケース上７１およびケース下７２がスライド係止されており、ケース上７１およびケース下７２をスライド方向に直交する対向方向に開けることができず、基板ケース７４が不正に開封されることを低減できる。
【００８８】
また、基板ケース７４のケース係止部１３０は、ケース上７１の短手辺の両箇所に当該辺方向に並設された破線で示す４個の鉤状突起部１３１（図６，図９では見えないため破線で示している）と、ケース下７２の短手辺の両箇所に当該辺方向に並設された、鉤状突起部１３１とは逆向きに形成された４個の逆鉤状突起部１３２とを備えるとともに、ケース上７１またはケース下７２の少なくとも一方をスライド移動させることで鉤状突起部１３１と逆鉤状突起部１３２とが係止するので、封止部材１４０によってケース上７１およびケース下７２が開封不可に封止された封止状態では、ケース上７１またはケース下７２の両辺で所定長さに亘って配置された複数個の鉤状突起部１３１および逆鉤状突起部１３２でスライド係止されており、細状の不正具をケース上７１とケース下７２との間に挿し入れるなどしてケース上７１とケース下７２との間に隙間を開けたり、ケース上７１およびケース下７２を開けたりすることを低減でき、基板ケース７４が不正に隙間形成や開封されることを低減できる。
【００８９】
また、封止部材１４０は、ケース上７１およびケース下７２を、そのスライド移動を抑止するように固定する。さらに、この封止部材１４０の固定解除用被破壊部１８０が破壊されると、ケース上７１およびケース下７２のスライド移動不可状態が解除される。したがって、固定解除用被破壊部１８０の破壊痕を見ることで、基板ケース７４が開封されたことがわかる。
【００９０】
なお、基板ケース７４が取付台１００から取り外された単体状態では、図８に示すようにケース下７２の２箇所の固定解除用被破壊部１８０を破断することで、基板ケース７４が開封可能（ケース上７１およびケース下７２のスライド移動が可能）となる。また、基板ケース７４が取付台１００に取り付けられた状態では、図８に示すケース下７２の２箇所の固定解除用被破壊部１８０に直接アクセスすることはできず、図９に示すように手前に位置するケース上７１の上側２箇所の固定解除用被破壊部１８０を破断することで、ようやく、奥側に位置するケース下７２の２箇所の固定解除用被破壊部１８０に直接アクセスして切断することができる。
【００９１】
また、固定解除用被破壊部１８０は、ケース上７１またはケース下７２と封止部材１４０とを結ぶ連結部１８１としているので、連結部１８１を破断することで、ケース上７１とケース下７２との相対的なスライド移動を可能とすることができ、ケース上７１とケース下７２とを開封できる。なお、封止部材１４０がケース上７１またはケース下７２の方に残ったままであるため、当該破断痕によって開封があったことがわかる。
【００９２】
また、図９に示すように、ケース上７１の下側２箇所の連結部１８１は、切断破壊するのではなく、支持部として使用できる。このように、ケース上７１の下側２箇所の連結部１８１を支持部として使用した場合には、ケース上７１の上側２箇所の連結部１８１およびケース下７２の２箇所の連結部１８１が切断されても、封止部材１４０がスロットマシン１０内に落下することを防止できる。
【００９３】
また、図１３（ｂ）に示すように、かしめピン１６０のピン長さを長くすることで、頭部１６２の挿入側面とケース下７２の突出部７２ｅの貫通孔７２ｆの周囲箇所とを所定の間隔（例えば、１〜２ミリ程度などの間隔）を空けた間隙部２００を設けるようにしてもよい。この場合には、封止部材１４０は、被封止部１５０の有底係止穴１５１にかしめピン１６０を挿入して係止させた状態にて当該かしめピン１６０の頭部１６２と被封止部１５０との間に所定の間隙が形成された間隙部２００と、被封止部１５０の有底係止穴１５１にかしめピン１６０を挿入して係止させた状態にて当該被封止部１５０でのかしめピン１６０の頭部１６２の箇所に充填して間隙部２００にも回り込むようにした状態で硬化させた硬化樹脂１７０とを備えているので、被封止部１５０とかしめピン１６０の頭部１６２とを、つまり、ケース上７１およびケース下７２とかしめピン１６０とを硬化樹脂１７０で接着することができる。また、かしめピン１６０の頭部１６２と被封止部１５０との間の間隙部２００にも硬化樹脂１７０が回り込んで接着されているので、例えば、封止部材１４０の硬化樹脂１７０を不正な細状部材を用いて除去しようとしても、かしめピン１６０の頭部１６２の表側（手前側）の硬化樹脂１７０の除去に時間がかかるし、このかしめピン１６０の頭部１６２の裏側（奥側）つまり間隙部２００に回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できるスロットマシン（遊技機）を提供することができる。
【００９４】
なお、図１２（ａ）に示すように、かしめピン１６０の頭部１６２と被封止部１５０との間であって当該頭部１６２の一部よりも挿入方向先端側に形成された所定の隙間（間隙部２００に相当する）にも硬化樹脂１７０が回り込んで接着されているので、回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。
【００９５】
また、図１４に示すように、被封止部１５０は、有底係止穴１５１の開口側の内周箇所に突出形成されて、硬化樹脂１７０によりかしめピン１６０の頭部１６２に接着された脆弱部１５４を備えたものとしてもよい。この脆弱部１５４は、図１４に示すように、有底係止穴１５１の入口近くの内周箇所であって、その周方向に沿った例えば２箇所に、突き出た２個の内周突起部１５３である。この２個の突起部１５３は、かしめピン１６０の頭部１６２の隣り合う２個の延出部１６４の間の窪み部分に入り込む程度の突出長さとしている。また、図１４に示すように被封止部１５０の正面視状態において、左側の内周突起部１５３は、左側で隣り合う２個の延出部１６４の間である窪み部分に向くように存在し、右側の内周突起部１５３は、右側で隣り合う２個の延出部１６４の間である窪み部分に向くように存在しているため、有底係止穴１５１の２個の内周突起部１５３とかしめピン１６０の頭部１６２の６本の延出部１６４となどで囲まれた形状が複雑に入り込んだ形となっており、この箇所に充填されて硬化した硬化樹脂１７０の形状をそのように複雑に入り込んだ形とすることができる。
【００９６】
この場合には、封止部材１４０の硬化樹脂１７０を不正な細状部材を用いて除去して不正にかしめピン１６０を取り外そうとすると、硬化樹脂１７０の不正な除去に伴って被封止部１５０の脆弱部１５４が破壊され、その除去した硬化樹脂１７０と一緒に脆弱部１５４が取れてしまうので、この脆弱部１５４が取れた被封止部１５０を不正に再使用しても、その被封止部１５０の脆弱部１５４の破損を見ることで、基板ケース７４が開封されたことがわかる。その結果、不正行為を低減できるスロットマシン（遊技機）を提供することができる。
【００９７】
さらに、この内周突起部１５３は、図１４に破線で示すように、その基端側に切り欠き溝部１５５を形成したものとしてもよい。つまり、２個の内周突起部１５３の基端側で裏面箇所には、図１４に破線で示すように、当該内周突起部１５３の基端側に沿って所定深さ（例えば、１ミリ程度など）で切り欠き溝部１５５が形成されている。なお、この切り欠き溝部１５５を内周突起部１５３の基端側で正面箇所に形成するようにしてもよいし、正面および裏面の両方に形成するようにしてもよい。
【００９８】
また、図１４に示すように、有底係止穴１５１の内周突起部１５３は、その基端側に切り欠き溝部１５５を備えているので、硬化樹脂１７０を不正な細状部材を用いて除去しようとすると、硬化樹脂１７０の不正な除去に伴って有底係止穴１５１の内周突起部１５３がさらに破断し易くなっており、その除去した硬化樹脂１７０と一緒に内周突起部１５３が取れてしまうので、有底係止穴１５１の内周突起部１５３の破断を見ることで、基板ケース７４が開封されたことがわかる。
【実施例２】
【００９９】
次に、実施例２の基板ケース７４の報知表示部３００について図１９〜図２１を用いて説明する。
【０１００】
図１９は、封止部材１４０の連結部１８１が切断されていない状態における実施例２の主制御装置７０の図７に示したＣ―Ｃ線断面図である。図２０は、封止部材１４０の連結部１８１が切断された状態の実施例２の主制御装置７０の図７に示したＣ―Ｃ線断面図である。図２１（ａ）は、連結部１８１の切断前状態の実施例２の主制御装置７０の右下の封止部材１４０の箇所を示す部分正面図であり、図２１（ｂ）は、連結部１８１の切断後状態の封止部材１４０の箇所を示す部分正面図である。
【０１０１】
この実施例２は、光ファイバー３２０の出射端側３２２に、この出射端側３２２から光の出射を低減する遮蔽部３６０を備えている点が、前述の実施例１とは異なっている。したがって、実施例２では、前述の実施例１と異なる構成について以下に詳細に説明することとし、実施例１と同様の構成についてはここでの説明を省略する。
【０１０２】
光ファイバー３２０は、図１９及び図２１（ａ）に示すように、その出射端側３２２に、当該出射端側３２２からの光の出射を遮る遮蔽部３６０を備えている。
【０１０３】
図１９及び図２１（ａ）に示すように、被切断部位１８２を切断していない通常状態では、光ファイバー３２０の出射端側３２２からの光の出射が遮蔽部３６０で遮られるため、連結部１８１は消灯状態である。
【０１０４】
また、図２０及び図２１（ｂ）に示すように、被切断部位１８２が切断されると、カール部３２３が縮むことで、光ファイバー３２０の切断端部位３２０ａが被切断部位１８２の切断面から内部に引き込まれ、引き込まれた光ファイバー３２０の切断端部位３２０ａがケース上７１の切断報知用表示箇所７８に位置し、光ファイバー３２０の切断端部位３２０ａから光が出射されることで切断報知用表示箇所７８が発光する。
【０１０５】
本実施例２では、光ファイバー３２０の出射端側３２２に遮蔽部３６０を採用しているが、この遮蔽部３６０に替えて、光ファイバー３２０の出射端側３２２に、その入射端側３２１の方に光を反射させる反射部（図示省略）を採用しても良い。
【０１０６】
なお、上述した遮蔽部３６０や反射部（図示省略）が後述する終端部に相当する。
【０１０７】
上述したように、本実施例２のスロットマシン１０によれば、光ファイバー３２０は、ＬＥＤ３１０からの光が入射端側３２１から入射されて、封止部材１４０の内部に位置する出射端側３２２からその光が出射される光ファイバー３２０であり、光ファイバー３２０の出射端側３２２からの光の出射を遮る遮蔽部３６０（前記の反射部（図示省略）としてもよい）を備え、被切断部位１８２を切断していない通常状態では、連結部１８１は消灯状態であり、被切断部位１８２の切断後状態では、引き込まれた光ファイバー３２０の切断端部位３２０ａが位置するケース上７１の切断報知用表示箇所７８が発光する。
【０１０８】
したがって、被切断部位１８２を切断していない通常状態では、連結部１８１が消灯状態であるが、被切断部位１８２の切断後状態では、引き込まれた光ファイバー３２０の切断端部位３２０ａが位置する、ケース上７１の切断報知用表示箇所７８が発光するので、封止部材１４０とは異なる切断報知用表示箇所７８が点灯していることで、連結部１８１の切断を明確に知らせることができる。また、切断された光ファイバー３２０の切断端部位３２０ａは、被切断部位１８２の切断面から内側に引き込まれるので、その切断端部位３２０ａにアクセスすることが困難になり、光ファイバー３２０の切断端部位３２０ａを不正に再接続することを低減できる。
【０１０９】
また、この実施例２では、被切断部位１８２の切断後状態において、ケース上７１での切断報知用表示箇所７８が発光するようにしているが、前述の実施例１での図１８に示すように、引き込まれた光ファイバー３２０の切断端部位３２０ａが位置する連結部１８１の切断箇所を発光させるようにしてもよい。この場合には、被切断部位１８２の切断後状態では、引き込まれた光ファイバー３２０の切断端部位３２０ａが位置する、連結部１８１の切断箇所が発光するので、連結部１８１の切断箇所が点灯していることで、連結部１８１の切断を明確に知らせることができる。また、切断された光ファイバー３２０の切断端部位３２０ａは、被切断部位１８２の切断面から内側に引き込まれるので、その切断端部位３２０ａにアクセスすることが困難になり、光ファイバー３２０の切断端部位３２０ａを不正に再接続することを低減できる。
【実施例３】
【０１１０】
次に、実施例３の基板ケース７４の報知表示部３００について図２２〜図２４を用いて説明する。
【０１１１】
図２２は、封止部材１４０の連結部１８１が切断されていない状態における実施例３の主制御装置７０の図７に示したＣ―Ｃ線断面図である。図２３は、封止部材１４０の連結部１８１が切断された状態の実施例３の主制御装置７０の図７に示したＣ―Ｃ線断面図である。図２４（ａ）は、連結部１８１の切断前状態の実施例３の主制御装置７０の右下の封止部材１４０の箇所を示す部分正面図であり、図２４（ｂ）は、連結部１８１の切断後状態の封止部材１４０の箇所を示す部分正面図である。
【０１１２】
この実施例３は、前述の実施例２と同様に、光ファイバー３２０の出射端側３２２に遮蔽部３６０を備えた構成において、その光ファイバー３２０での連結部１８１に位置する箇所に光出力部３２５を備えている点が、前述の実施例２とは異なっている。したがって、実施例３では、前述の実施例２と異なる構成について以下に詳細に説明することとし、実施例２と同様の構成についてはここでの説明を省略する。
【０１１３】
光ファイバー３２０は、図２２に示すように、その連結部１８１に位置する箇所に、光を出力する光出力部３２５を備えている。この光出力部３２５は、例えば、光ファイバー３２０での連結部１８１に位置する外周箇所をＶノ字状に切り欠いたものである。光ファイバー３２０の形成後にＶノ字状に切り欠いて光出力部３２５を形成してもよいし、光ファイバー３２０のプラスチック成形時にこの切り欠きが同時に形成されるようにしてもよい。
【０１１４】
図２２及び図２４（ａ）に示すように、被切断部位１８２を切断していない通常状態では、光ファイバー３２０の出射端側３２２からの光の出射が遮蔽部３６０で遮られるため、連結部１８１は消灯状態であるが、光ファイバー３２０での連結部１８１に位置する光出力部３２５からの光の出射によって連結部１８１が点灯状態である。
【０１１５】
また、図２３及び図２４（ｂ）に示すように、被切断部位１８２が切断されると、カール部３２３が縮むことで、光ファイバー３２０の切断端部位３２０ａが被切断部位１８２の切断面から内部に引き込まれ、引き込まれた光ファイバー３２０の切断端部位３２０ａがケース上７１の切断報知用表示箇所７８に位置し、光ファイバー３２０の切断端部位３２０ａから光が出射されることで切断報知用表示箇所７８が発光する。また、このように光ファイバー３２０の切断端部位３２０ａがケース上７１の切断報知用表示箇所７８に引き込まれて位置しているので、切断された連結部１８１は消灯状態である。
【０１１６】
本実施例３では、光ファイバー３２０の出射端側３２２に遮蔽部３６０を採用しているが、前述の実施例２と同様に反射部（図示省略）を採用しても良い。
【０１１７】
なお、上述した光出力部３２５が後述する出射部に相当する。
【０１１８】
上述したように、本実施例３のスロットマシン１０によれば、光ファイバー３２０は、ＬＥＤ３１０からの光が入射端側３２１から入射されて、連結部１８１に位置する箇所に形成された光出力部３２５から光を出射するものであり、被切断部位１８２を切断していない通常状態では、光出力部３２５から出射された光で連結部１８１が発光し、被切断部位１８２の切断後状態では、引き込まれた光ファイバー３２０の切断端部位３２０ａが位置するケース上７１の切断報知用表示箇所７８が発光する。
【０１１９】
したがって、被切断部位１８２を切断していない通常状態では、連結部１８１が発光しているので、連結部１８１の被切断部位を示唆することができる。また、被切断部位１８２の切断後状態では、引き込まれた光ファイバー３２０の切断端部位３２０ａが位置する、ケース上７１の切断報知用表示箇所７８が発光するので、封止部材１４０とは異なる切断報知用表示箇所７８が点灯していることで、連結部１８１の切断を明確に知らせることができる。また、切断された光ファイバー３２０の切断端部位３２０ａは、被切断部位１８２の切断面から内側に引き込まれるので、その切断端部位３２０ａにアクセスすることが困難になり、光ファイバー３２０の切断端部位３２０ａを不正に再接続することを低減できる。
【実施例４】
【０１２０】
次に、実施例４の基板ケース７４の報知表示部３００について図２５を用いて説明する。
【０１２１】
図２５（ａ）は、連結部１８１の切断前状態の実施例４の主制御装置７０の右下の封止部材１４０の箇所を示す部分正面図であり、図２５（ｂ）は、連結部１８１の切断後状態の封止部材１４０の箇所を示す部分正面図である。
【０１２２】
この実施例４は、図２５（ａ）に示すように、カール部３２３付き光ファイバー３２０が２箇所の連結部１８１に通されており、光ファイバー３２０の入射端側３２１から入射された光信号が出射端側３２２の検出器３７０で正常に検出されるか否かで、連結部１８１の被切断部位１８２の切断の有無を知らせる構成としている点が、前述の実施例１〜３とは異なっている。したがって、実施例４では、前述の実施例１〜３と異なる構成について以下に詳細に説明することとし、実施例１〜３と同様の構成についてはここでの説明を省略する。
【０１２３】
図２５（ａ）に示すように、光ファイバー３２０は、２箇所の連結部１８１に通されており、その入射端側３２１には、光信号を入射するためのＬＥＤ３１０が配設され、その出射端側３２２には、伝送された光信号を検出する検出器３７０が接続されている。
【０１２４】
この実施例では、検出器３７０は、光ファイバー３２０からの光信号の入射光量が閾値以上であるか否かを検出するものである。なお、光信号としてパルス信号や各種変調信号などを採用してもよく、検出器３７０において正常なパルス信号や正常な変調信号などであるか否かを検出するものを採用してもよい。
【０１２５】
検出器３７０はさらに表示部３７５に接続されており、表示部３７５は、検出器３７０で光信号が異常検出された場合に被切断部位１８２の切断を知らせる表示を行う。表示部３７５としては、報知点灯あるいは報知点滅させるランプやＬＥＤの他、小型液晶表示器やデジタル表示器など種々の表示器を採用してもよい。
【０１２６】
前述したように表示部３７５は異常検出時のみ表示を行うようにしてもよいが、検出器３７０で光信号が正常に検出されている場合には、表示部３７５は、被切断部位１８２が切断されていないとの正常表示を行うようにしてもよい。
【０１２７】
また、図２５（ａ）での左側の連結部１８１と検出器３７０との間にカール部３２３が位置している。
【０１２８】
なお、上述した検出器３７０が本発明における検出手段に相当し、上述した表示部３７５が本発明における示唆手段に相当する。
【０１２９】
光ファイバー３２０は、ＬＥＤ３１０からの光信号が入射端側３２１から入射されて、出射端側３２２の検出器３７０にその光信号を伝送する。そして、被切断部位１８２を切断していない通常状態では、図２５（ａ）に示すように、光ファイバー３２０の出射端側３２２に伝送された光信号が検出器３７０で正常に検出され、表示部３７５は被切断部位１８２を切断されていないとの正常表示を行う。
【０１３０】
また、図２５（ｂ）に示すように被切断部位１８２が切断されると、光ファイバー３２０からの光信号が検出器３７０で検出できず、表示部３７５は、被切断部位１８２の切断を知らせる表示を行う。また、図２５（ｂ）に示すように、被切断部位１８２が切断されると、カール部３２３が縮むことで、光ファイバー３２０の切断端部位３２０ａが被切断部位１８２の切断面から内部に引き込まれる。
【０１３１】
上述したように、本実施例４のスロットマシン１０によれば、光ファイバー３２０は、その入射端側３２１から光信号が入力されて出射端側３２２に伝送する光伝送部材である。光ファイバー３２０の出射端側３２２から出力される光信号を検出する検出器３７０と、この検出器３７０で光ファイバー３２０からの光信号が検出されない場合に連結部１８１の被切断部位１８２の切断を知らせる表示を行う表示部３７５と、を備えている。したがって、連結部１８１の切断を表示部３７５によって明確に知らせることができる。また、切断された光ファイバー３２０の切断端部位３２０ａは、被切断部位１８２の切断面から内側に引き込まれるので、その切断端部位３２０ａにアクセスすることが困難になり、光ファイバー３２０の切断端部位３２０ａを不正に再接続することを低減できる。
【０１３２】
また、本実施例４では、光ファイバー３２０を採用しているが、カール部３２３を備えた導線を採用し、導線からの電気信号の有無を検出器３７０で検出し、その検出器３７０で電気信号が検出されない場合に連結部１８１の被切断部位１８２の切断を知らせる表示を表示部３７５で行うようにしてもよい。この場合も本実施例４と同様の効果を有する。
【０１３３】
また、本実施例４では、示唆手段として表示部３７５を採用しているが、表示部３７５に替えて、報知音によって切断を知らせる音声出力部（図示省略）を採用してもよい。また、表示部３７５とともに音声出力部（図示省略）を採用してもよい。
【実施例５】
【０１３４】
次に、実施例５のスロットマシン１０の基板ケース７４について図２６，図２７を用いて説明する。
【０１３５】
図２６（ａ）〜（ｇ）は、その順に、実施例５のかしめピン１６０の上面図、左側面図、正面図、右側面図、裏面図、下面図、正面右上方から見た斜視図である。図２７（ａ）〜（ｃ）は、その順に、実施例５の被封止部１５０の正面図、右側面、正面右上方から見た一部斜視図であり、図２７（ｄ）は、変形例の被封止部１５０の正面図である。
【０１３６】
この実施例５は、前述の実施例１のかしめピン１６０の頭部１６２および有底係止穴１５１の一部が異なっている。具体的には、実施例５のかしめピン１６０は、図２６，図２７（ａ）〜（ｃ）に示すように、その頭部１６２から放射状に８本の延出部１６４を備えるとともに、頭部１６２の表面に複数本（本実施例では３本）の溝部１６５が形成されており、これらの８本の延出部１６４が脆弱部１６３である点、実施例５の被封止部１５０の有底係止穴１５１が正面視で円形とし、且つ、その入口近くの内周箇所にも脆弱部１５４（内周突起部１５３）を備えている点が、前述の実施例１とは異なっている。実施例５では、前述の実施例１と異なる構成について以下に詳細に説明することとし、実施例１と同様の構成についてはここでの説明を省略する。
【０１３７】
実施例５のかしめピン１６０は、図２６に示すように、正面視で円形の頭部１６２から放射状に８本の延出部１６４が形成されている。さらに、このかしめピン１６０は、図２６に示すように、その頭部１６２の表面側に例えば３本の平行な直線状に溝部１６５が形成されている。この溝部１６５は、図２６（ａ），（ｆ），（ｇ）に示すように、断面視でＶ字状形状となっている。この実施例５のかしめピン１６０の頭部１６２以外の部分、つまり、挿入係止部１６１は、実施例１のかしめピン１６０と同様の構造となっている。
【０１３８】
続いて、実施例５の被封止部１５０は、図２７（ａ）〜（ｃ）に示すように、その有底係止穴１５１が正面視で円形となっており、さらに、その入口近くの内周箇所に突出形成された脆弱部１５４を備えている。この脆弱部１５４は、有底係止穴１５１の入口近くの内周箇所であって、その周方向に沿った例えば５箇所に、突き出た５個の内周突起部１５３である。この実施例５では、内周突起部１５３は、かしめピン１６０の頭部１６２の延出部１６４と接触しない程度の突出長さとしている。つまり、内周突起部１５３の先端と延出部１６４の先端とが所定の間隔（例えば、１〜２ミリ程度の間隔など）を空けて位置するようにしている。
【０１３９】
この実施例５では、図２７（ａ）に示すように、有底係止穴１５１の内周方向に内周突起部１５３が５個突出形成されており、かしめピン１６０の頭部１６２の延出部１６４が８本としているので、両者の数が異なっている。つまり、図２７（ａ）に示すように被封止部１５０の正面視状態において、内周突起部１５３と延出部１６４とが向かい合う部分と、隣り合う内周突起部１５３の間である窪み部分に延出部１６４が向く部分とが存在しているため、有底係止穴１５１の５個の内周突起部１５３とかしめピン１６０の頭部１６２の８本の延出部１６４となどで囲まれた形状が複雑に入り込んだ形となっており、この箇所に充填されて硬化した硬化樹脂１７０の形状をそのように複雑に入り込んだ形とすることができる。
【０１４０】
さらに、この実施例５の有底係止穴１５１の５個の内周突起部１５３は、図２７（ａ）に破線で示すように、その基端側に切り欠き溝部１５５が形成されている。つまり、５個の内周突起部１５３の基端側で裏面箇所には、図２７（ａ）に破線で示すように、当該内周突起部１５３の基端側に沿って所定深さ（例えば、１ミリ程度など）で切り欠き溝部１５５が形成されている。なお、この切り欠き溝部１５５を内周突起部１５３の基端側で正面箇所に形成するようにしてもよいし、正面および裏面の両方に形成するようにしてもよい。
【０１４１】
なお、図２７（ｄ）に示すように、内周突起部１５３を内歯車のような突起形状とし、延出部１６４を外歯車のような突起形状とし、かしめピン１６０が有底係止穴１５１に挿入係止された状態で、内歯車状の内周突起部１５３と外歯車状の延出部１６４とが噛み合うような形状としてもよい。例えば、図２７（ｄ）では、複数個（例えば、８個）の内周突起部１５３と複数本（例えば、８本）の延出部１６４とは、隣り合う内周突起部１５３の間に延出部１６４が位置するように配設されている。
【０１４２】
また、有底係止穴１５１は、前述の実施例１と同様に、その入口側から順に、ケース上７１の挿入貫通孔７１ｇと、ケース下７２の突出部７２ｅの貫通孔７２ｆと、ケース上７１の挿入穴部７１ｆとで構成されており、ケース上７１の挿入貫通孔７１ｇの径がケース下７２の突出部７２ｅの貫通孔７２ｆの径よりも大きくなっているため、各内周突起部１５３の間はケース下７２の一部（突出部７２ｅの貫通孔７２ｆの周囲一部分）が露出した状態となっており、このケース下７２の一部（突出部７２ｅの貫通孔７２ｆの周囲一部分）に後述の硬化樹脂１７０が付着することになる。
【０１４３】
図２７に示すように、かしめピン１６０が有底係止穴１５１に挿入係止された状態では、かしめピン１６０の頭部１６２が受容凹部１５２内に位置している。この状態にて、前述の実施例１と同様に、硬化前樹脂を受容凹部１５２に充填し、硬化前樹脂に紫外線を照射して硬化させる。硬化樹脂１７０は、かしめピン１６０の頭部１６２の溝部１６５にも入った状態で硬化しているし、有底係止穴１５１の入口近くの５個の内周突起部１５３での各内周突起部１５３の間や、内周突起部１５３と延出部１６４との間にも入った状態で硬化している。硬化樹脂１７０によって、有底係止穴１５１とかしめピン１６０とが接着される。つまり、ケース上７１とケース下７２とかしめピン１６０とが接着される。
【０１４４】
上述したように、本実施例５のスロットマシン１０によれば、被封止部１５０の有底係止穴１５１の内周突起部１５３の表面積の分も、有底係止穴１５１の硬化樹脂１７０への接着面積を拡大することができ、その拡大した分、有底係止穴１５１と硬化樹脂１７０との接着力がさらに向上するし、かしめピン１６０の頭部１６２の溝部１６５の表面積の分も、頭部１６２の硬化樹脂１７０への接着面積を拡大することができ、その拡大した分、頭部１６２と硬化樹脂１７０との接着力がさらに向上するし、その溝部１６５で延出部１６４が破断し易くなっているので、硬化樹脂１７０を不正な細状部材を用いて除去しようとすると、硬化樹脂１７０の不正な除去に伴ってかしめピン１６０の頭部１６２の延出部１６４が切り欠き溝部１６５で破断して、その除去した硬化樹脂１７０と一緒に延出部１６４が取れてしまうので、この延出部１６４が破断したかしめピン１６０を不正に再使用しても、そのかしめピン１６０の頭部１６２の延出部１６４の破断を見ることで、基板ケース７４が開封されたことがわかる。
【０１４５】
また、硬化樹脂１７０を不正な細状部材を用いて除去しようとすると、硬化樹脂１７０の不正な除去に伴って有底係止穴１５１の内周突起部１５３が破断して、その除去した硬化樹脂１７０と一緒に内周突起部１５３が取れてしまうので、有底係止穴１５１の内周突起部１５３の破断を見ることで、基板ケース７４が開封されたことがわかる。
【０１４６】
また、図２７（ａ）に示すように、有底係止穴１５１の内周突起部１５３は、その基端側に切り欠き溝部１５５を備えているので、硬化樹脂１７０を不正な細状部材を用いて除去しようとすると、硬化樹脂１７０の不正な除去に伴って有底係止穴１５１の内周突起部１５３がさらに破断し易くなっており、その除去した硬化樹脂１７０と一緒に内周突起部１５３が取れてしまうので、有底係止穴１５１の内周突起部１５３の破断を見ることで、基板ケース７４が開封されたことがわかる。
【実施例６】
【０１４７】
次に、実施例６のスロットマシン１０の基板ケース７４について図２８〜図３０を用いて説明する。
【０１４８】
図２８（ａ）〜（ｇ）は、その順に、実施例６のかしめピン１６０の上面図、左側面図、正面図、右側面図、裏面図、下面図、正面右上方から見た斜視図である。図２９（ａ）〜（ｄ）は、その順に、実施例６の被封止部１５０の正面図、右側面、下面図、正面右上方から見た一部斜視図である。図３０（ａ）は、実施例６でのかしめピン１６０の挿入係止状態の被封止部１５０の断面図、図３０（ｂ）は、実施例６でのかしめピン１６０を被封止部１５０に挿入する様子を示す斜視図である。
【０１４９】
この実施例６は、前述の実施例１及び実施例５のかしめピン１６０の頭部１６２および有底係止穴１５１の一部が異なっている。具体的には、実施例６のかしめピン１６０は、図２８，図２９に示すように、前述の実施例１及び実施例５の延出部１６４や実施例５の溝部１６５を有さず、その頭部１６２は、その表側面に、硬化前樹脂が充填される受け皿部１６６を備え、この受け皿部１６６は、かしめピン１６０の挿入方向視した状態で挿入係止部１６１よりも外側の一部箇所に、当該頭部１６２の挿入側面に貫通した流入孔１６７を備えている点、実施例６の被封止部１５０の有底係止穴１５１が前述の実施例５と同様に正面視で円形とし、実施例５の内周突起部１５３を備えていない点が、前述の実施例１及び実施例５とは異なっている。なお、実施例１及び実施例５と同様の構成についてはここでの説明を省略する。
【０１５０】
実施例６のかしめピン１６０は、図２８に示すように、その頭部１６２の表側面に、硬化前樹脂が充填される凹状の受け皿部１６６を備えている。この受け皿部１６６は、図２８（ｃ），（ｅ）に示すように、かしめピン１６０の挿入方向視した状態で挿入係止部１６１よりも外側の一部箇所に、当該頭部１６２の挿入側面に貫通した流入孔１６７を備えている。
【０１５１】
図３０（ｂ）に示すように、実施例６のかしめピン１６０を被封止部１５０の有底係止穴１５１に挿入すると、図２９，図３０（ａ）に示すように、かしめピン１６０の挿入係止部１６１が有底係止穴１５１に係止される。具体的には、図３０（ａ）に示すように、かしめピン１６０の挿入係止部１６１が有底係止穴１５１の奥側であるケース上７１の挿入穴部７１ｆに係止される。
【０１５２】
図３０（ａ）に示すように、ケース上７１の挿入貫通孔７１ｇは、かしめピン１６０の挿入係止部１６１よりも径が大きくなっており、ケース下７２の突出部７２ｅの貫通孔７２ｆは、挿入貫通孔７１ｇよりも直径が小さくなっている。また  図３０（ａ）に示すように、ケース上７１の挿入穴部７１ｆは、かしめピン１６０の先端側が挿入されており、かしめピン１６０の挿入係止部１６１は、ケース下７２の突出部７２ｅの貫通孔７２ｆでの奥側貫通開口の周囲部位に係止されている。
【０１５３】
さらに、図３０（ａ）に示すように、被封止部１５０の有底係止穴１５１にかしめピン１６０を挿入して係止させた状態において、かしめピン１６０の頭部１６２と被封止部１５０との間には、所定の間隙である間隙部２００が形成されている。この実施例６では、ケース上７１の挿入貫通孔７１ｇの径を、かしめピン１６０の挿入係止部１６１よりも大きく、且つ、かしめピン１６０の頭部１６２の径よりも小さくすることで、頭部１６２とケース下７２の貫通孔７２ｆの周囲箇所との間に前記の間隙部２００を形成している。この間隙部２００は、受容凹部１５２の窪み面とかしめピン１６０の頭部１６２の挿入側面との間に空けられた間隙である。
【０１５４】
図３０（ａ）に示すように、被封止部１５０の有底係止穴１５１にかしめピン１６０を挿入して係止させた状態において、当該被封止部１５０でのかしめピン１６０の頭部１６２の箇所、つまり、かしめピン１６０の頭部１６２の受け皿部１６６に硬化前樹脂を充填すると、この受け皿部１６６の流入孔１６７を通じて硬化前樹脂が間隙部２００に入り込んでおり、この状態で紫外線を照射することで、間隙部２００にも回り込むようにした状態で硬化樹脂１７０が硬化している。
【０１５５】
上述したように、本実施例６のスロットマシン１０によれば、封止部材１４０は、被封止部１５０の有底係止穴１５１にかしめピン１６０を挿入して係止させた状態にて当該かしめピン１６０の頭部１６２と被封止部１５０との間に所定の間隙が形成された間隙部２００と、被封止部１５０の有底係止穴１５１にかしめピン１６０を挿入して係止させた状態にて当該被封止部１５０でのかしめピン１６０の頭部１６２の箇所に充填して間隙部２００にも回り込むようにした状態で硬化させた硬化樹脂１７０とを備えているので、被封止部１５０とかしめピン１６０の頭部１６２とを、つまり、ケース上７１またはケース下７２とかしめピン１６０とを硬化樹脂１７０で接着することができる。また、かしめピン１６０の頭部１６２と被封止部１５０との間の間隙部２００にも硬化樹脂１７０が回り込んで接着されているので、例えば、封止部材１４０の硬化樹脂１７０を不正な細状部材を用いて除去しようとしても、かしめピン１６０の頭部１６２の表側（手前側）の硬化樹脂１７０の除去に時間がかかるし、このかしめピン１６０の頭部１６２の裏側（奥側）つまり間隙部２００に回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できるスロットマシン（遊技機）を提供することができる。
【０１５６】
また、被封止部１５０での有底係止穴１５１の入口側周囲箇所に設けられた受容凹部１５２は、その窪み空間内に、かしめピン１６０が挿入係止された状態での当該かしめピン１６０の頭部１６２を位置させた状態で、その窪み空間に硬化前樹脂が充填されて硬化されるので、受容凹部１５２の窪み空間内に頭部１６２を位置させた状態で硬化樹脂１７０で覆うことができ、窪み空間の硬化樹脂１７０を不正に除去することが困難である。また、間隙部２００は、受容凹部１５２の窪み面とかしめピン１６０の頭部１６２の挿入側面との間に空けられた所定の間隙であるので、受容凹部１５２の窪み面とかしめピン１６０の頭部１６２の挿入側面との間の間隙部２００にも硬化樹脂１７０が回り込んで接着させることができ、例えば、封止部材１４０の硬化樹脂１７０を不正な細状部材を用いて除去しようとしても、受容凹部１５２におけるかしめピン１６０の頭部１６２の挿入面側（裏側）つまり間隙部２００に回り込んだ硬化樹脂１７０は直接にアクセスできないことからこの硬化樹脂１７０を除去することはさらに困難であり、しかも受容凹部１５２における間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できる遊技機を提供することができる。
【０１５７】
かしめピン１６０の頭部１６２は、その表側面に、硬化前樹脂が充填される受け皿部１６６を備えている。この受け皿部１６６は、かしめピン１６０の挿入方向視した状態で挿入係止部１６１よりも外側の一部箇所に、当該頭部１６２の挿入側面に貫通した流入孔１６７を備えている。したがって、被封止部１５０の有底係止穴１５１にかしめピン１６０を挿入して係止させた状態において、このかしめピン１６０の頭部１６２の受け皿部１６６に硬化前樹脂を充填することで、硬化前樹脂が受け皿部１６６の流入孔１６７を通じて頭部１６２の挿入側面の方に流入して間隙部２００に回り込み易くでき、受容凹部１５２の窪み面とかしめピン１６０の頭部１６２の挿入側面との間の間隙部２００にも硬化樹脂１７０が回り込んで接着させることができ、間隙部２００に回り込んだ硬化樹脂１７０は直接にアクセスできないことからこの硬化樹脂１７０を除去することはさらに困難であり、不正行為を低減できる。
【０１５８】
また、有底係止穴１５１は、挿入貫通孔７１ｇと突出部７２ｅの貫通孔７２ｆと挿入穴部７１ｆとで構成されている。挿入貫通孔７１ｇは、かしめピン１６０の挿入係止部１６１の存する挿入部分よりも径が大きく、突出部７２ｅの貫通孔７２ｆは、挿入貫通孔７１ｇよりも直径が小さくなっている。したがって、被封止部１５０の有底係止穴１５１にかしめピン１６０を挿入して係止させた状態にてこの被封止部１５０でのかしめピン１６０の頭部１６２に充填した硬化前樹脂は、挿入貫通孔７１ｇとかしめピン１６０との隙間にも流入してケース上７１とケース下７２とかしめピン１６０とに接触した状態とすることができ、挿入貫通孔７１ｇとかしめピン１６０との隙間の硬化前樹脂に紫外光が当たり易く硬化させ易くできる。硬化樹脂１７０はケース上７１とケース下７２とかしめピン１６０との３部材とを接着することができ、有底係止穴１５１の挿入貫通孔７１ｇにまで入り込んだ硬化樹脂１７０を除去することはさらに困難であり、不正行為を低減できる。
【実施例７】
【０１５９】
次に、実施例７のスロットマシン１０の基板ケース７４について図３１〜図３３を用いて説明する。
【０１６０】
図３１（ａ）〜（ｇ）は、その順に、実施例７のかしめピン１６０の上面図、左側面図、正面図、右側面図、裏面図、下面図、正面右上方から見た斜視図である。図３２（ａ）〜（ｄ）は、その順に、実施例７の被封止部１５０の正面図、右側面、下面図、正面右上方から見た一部斜視図である。図３３（ａ）は、実施例７でのかしめピン１６０の挿入係止状態の被封止部１５０の断面図、図３３（ｂ）は、実施例７でのかしめピン１６０を被封止部１５０に挿入する様子を示す斜視図である。
【０１６１】
この実施例７は、前述の実施例１〜６のかしめピン１６０の頭部１６２および有底係止穴１５１の一部が異なっている。具体的には、実施例７のかしめピン１６０は、図３１，図３２に示すように、その頭部１６２の表面側に、前述の実施例６の受け皿部１６６を有さず、頭部１６２の挿入面側と受容凹部１５２の窪み面との間に間隙部２００を有している点、実施例７の被封止部１５０の有底係止穴１５１が前述の実施例５，６と同様に正面視で円形とし、実施例５の内周突起部１５３を備えておらず、受容凹部１５２の奥側がスロープ状となっている点が、前述の実施例１〜６とは異なっている。なお、実施例１〜６と同様の構成についてはここでの説明を省略する。
【０１６２】
実施例７の受容凹部１５２は、その開口径がかしめピン１６０の頭部１６２の径よりも十分に大きくなっており、図３２（ｄ）に示すように、かしめピン１６０の頭部１６２と受容凹部１５２との間に硬化前樹脂を充填し易くなっており、図３３（ａ）に示すように、かしめピン１６０の挿入面側に硬化前樹脂が入り込み易くなっている。
【０１６３】
図３３（ｂ）に示すように、実施例７のかしめピン１６０を被封止部１５０の有底係止穴１５１に挿入すると、図３２，図３３（ａ）に示すように、かしめピン１６０の挿入係止部１６１が有底係止穴１５１に係止される。具体的には、図３３（ａ）に示すように、かしめピン１６０の挿入係止部１６１が有底係止穴１５１の奥側であるケース上７１の挿入穴部７１ｆに係止される。
【０１６４】
図３３（ａ）に示すように、ケース上７１の挿入貫通孔７１ｇは、かしめピン１６０の挿入係止部１６１よりも径が大きくなっており、ケース下７２の突出部７２ｅの貫通孔７２ｆは、挿入貫通孔７１ｇよりも直径が小さくなっている。また  図３３（ａ）に示すように、ケース上７１の挿入穴部７１ｆは、かしめピン１６０の先端側が挿入されており、かしめピン１６０の挿入係止部１６１は、ケース下７２の突出部７２ｅの貫通孔７２ｆでの奥側貫通開口の周囲部位に係止されている。
【０１６５】
さらに、図３３（ａ）に示すように、被封止部１５０の有底係止穴１５１にかしめピン１６０を挿入して係止させた状態において、かしめピン１６０の頭部１６２と被封止部１５０との間には、所定の間隙である間隙部２００が形成されている。この実施例７では、ケース上７１の挿入貫通孔７１ｇの径を、かしめピン１６０の頭部１６２の径よりも大きくし、かしめピン１６０のピン長さを長くすることで、かしめピン１６０の頭部１６２の挿入面側とケース下７２の貫通孔７２ｆの周囲箇所との間に前記の間隙部２００を形成している。この間隙部２００は、受容凹部１５２の窪み面とかしめピン１６０の頭部１６２の挿入側面との間に空けられた間隙である。
【０１６６】
図３３（ａ）に示すように、被封止部１５０の有底係止穴１５１にかしめピン１６０を挿入して係止させた状態において、当該被封止部１５０でのかしめピン１６０の頭部１６２の箇所、つまり、受容凹部１５２に硬化前樹脂を充填すると、硬化前樹脂が間隙部２００に入り込んでおり、この状態で紫外線を照射することで、間隙部２００にも回り込むようにした状態で硬化樹脂１７０が硬化している。
【０１６７】
上述したように、本実施例７のスロットマシン１０によれば、封止部材１４０は、被封止部１５０の有底係止穴１５１にかしめピン１６０を挿入して係止させた状態にて当該かしめピン１６０の頭部１６２と被封止部１５０との間に所定の間隙が形成された間隙部２００と、被封止部１５０の有底係止穴１５１にかしめピン１６０を挿入して係止させた状態にて当該被封止部１５０でのかしめピン１６０の頭部１６２の箇所に充填して間隙部２００にも回り込むようにした状態で硬化させた硬化樹脂１７０とを備えているので、被封止部１５０とかしめピン１６０の頭部１６２とを、つまり、ケース上７１またはケース下７２とかしめピン１６０とを硬化樹脂１７０で接着することができる。また、かしめピン１６０の頭部１６２と被封止部１５０との間の間隙部２００にも硬化樹脂１７０が回り込んで接着されているので、例えば、封止部材１４０の硬化樹脂１７０を不正な細状部材を用いて除去しようとしても、かしめピン１６０の頭部１６２の表側（手前側）の硬化樹脂１７０の除去に時間がかかるし、このかしめピン１６０の頭部１６２の裏側（奥側）つまり間隙部２００に回り込んだ硬化樹脂１７０は直接にアクセスできないことからこの硬化樹脂１７０を除去することはさらに困難であり、しかも間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できるスロットマシン（遊技機）を提供することができる。
【０１６８】
また、被封止部１５０での有底係止穴１５１の入口側周囲箇所に設けられた受容凹部１５２は、その窪み空間内に、かしめピン１６０が挿入係止された状態での当該かしめピン１６０の頭部１６２を位置させた状態で、その窪み空間に硬化前樹脂が充填されて硬化されるので、受容凹部１５２の窪み空間内に頭部１６２を位置させた状態で硬化樹脂１７０で覆うことができ、窪み空間の硬化樹脂１７０を不正に除去することが困難である。また、間隙部２００は、受容凹部１５２の窪み面とかしめピン１６０の頭部１６２の挿入側面との間に空けられた所定の間隙であるので、受容凹部１５２の窪み面とかしめピン１６０の頭部１６２の挿入側面との間の間隙部２００にも硬化樹脂１７０が回り込んで接着させることができ、例えば、封止部材１４０の硬化樹脂１７０を不正な細状部材を用いて除去しようとしても、受容凹部１５２におけるかしめピン１６０の頭部１６２の挿入面側（裏側）つまり間隙部２００に回り込んだ硬化樹脂１７０は直接にアクセスできないことからこの硬化樹脂１７０を除去することはさらに困難であり、しかも受容凹部１５２における間隙部２００の硬化樹脂１７０でかしめピン１６０と被封止部１５０とが接着された状態を維持しており、かしめピン１６０を取り外すことが困難である。したがって、基板ケース７４を不正に開封することが困難である。その結果、不正行為を低減できる遊技機を提供することができる。
【実施例８】
【０１６９】
次に、実施例８のスロットマシン１０の基板ケース７４について、図３８〜図４２を用いて説明する。
【０１７０】
図３８は、実施例８の主制御装置７０の正面図である。図３９は、連結部１８１が切断される前の主制御装置７０における封止部材１４０箇所を示す部分正面図である。図４０は、主制御装置７０の図３８に示したＤ−Ｄ線断面図である。図４１は、連結部１８１が切断された状態の主制御装置７０のＤ―Ｄ線断面図である。図４２（ａ）は、連結部１８１が切断される前の主制御装置７０における封止部材１４０箇所を示す部分正面図であり、図４２（ｂ）は、連結部１８１が切断された後の主制御装置７０における封止部材１４０箇所を示す部分正面図である。
【０１７１】
この実施例８では、実施例１と同様に、図３８及び図３９に示すように、光ファイバー３２０の出射端側３２２を封止部材１４０での光透過性の硬化樹脂１７０の方に向けて近接配設している。図３９に示すように、主制御装置７０の正面視において、光ファイバー３２０の出射端側３２２は、封止部材１４０の中央箇所（かしめピン１６０のピン中心箇所）に向くようにして配設されている。
【０１７２】
また、前述の実施例１では、図７に示すように、縦方向に被封止部１５０と結ぶ連結部１８１を２個としているが、この実施例８では、図３８に示すように、縦方向に被封止部１５０と結ぶ連結部１８１を１個としている。この連結部１８１は、図３９に示すように、その連結方向が受容凹部１５２の中央箇所に向けて形成されている。図４０に示すように、この連結部１８１の内部に光ファイバー３２０の線状部３２４が通されている。
【０１７３】
実施例８の光ファイバー３２０は、図３９及び図４０に示すように、その出射端側３２２を封止部材１４０での硬化樹脂１７０の近傍箇所（例えば、受容凹部１５２の箇所）に位置させた状態で前述の実施例１と同様に光透過性の接着剤３４０で固定されている。また、光ファイバー３２０の出射端側３２２は、図３９に示すように、受容凹部１５２の中央に向けられている。
【０１７４】
図４０に示すように、光ファイバー３２０は、前述の実施例１と同様にカール部３２３を備えており、光ファイバー３２０の配設状態では、カール部３２３がその長さ方向に引き伸ばされた状態としている。
【０１７５】
ケース上７１及びかしめピン１６０は透明樹脂成型品であり、硬化樹脂１７０も光透過性の樹脂であるので、図３９、図４０及び図４２（ａ）に示すように、被切断部位１８２を切断していない通常状態では、光ファイバー３２０の出射端側３２２から出射された光はケース上７１の封止部材１４０での受容凹部１５２及び硬化樹脂１７０に入射され、受容凹部１５２及び硬化樹脂１７０に入射した光によって受容凹部１５２及び硬化樹脂１７０が発光する。なお、硬化樹脂１７０に光拡散粒子が含まれる場合には、硬化樹脂１７０をより一様に発光させることができる。
【０１７６】
また、かしめピン１６０も透明であるので、硬化樹脂１７０を介してかしめピン１６０に入射した光によってかしめピン１６０が発光する。
【０１７７】
また、ケース上７１及びかしめピン１６０を構成する透明樹脂に光拡散粒子を含めるようにし、ケース上７１の封止部材１４０及びかしめピン１６０をより一様に発光させるようにしてもよい。
【０１７８】
図４０及び図４２（ａ）に示すように、被切断部位１８２を切断していない通常状態では、光ファイバー３２０の出射端側３２２から出射された光は、封止部材１４０での受容凹部１５２に入射されるとともに、この受容凹部１５２から硬化樹脂１７０の方に出射した光が硬化樹脂１７０に入射される。このように入射された光が受容凹部１５２及び硬化樹脂１７０から出射されることで、受容凹部１５２及び硬化樹脂１７０が発光する。
【０１７９】
これに対して、図４１に示すように、連結部１８１の被切断部位１８２が切断されると、その切断に伴って光ファイバー３２０の線状部３２４も切断され、この切断された光ファイバー３２０の切断端部位３２０ａは、引き伸ばされていたカール部３２３が縮むことで、被切断部位１８２の切断面から内側に引き込まれる。
【０１８０】
図４１及び図４２（ｂ）に示すように、被切断部位１８２の切断後状態では、引き込まれた光ファイバー３２０の切断端部位３２０ａがケース上７１の切断報知用表示箇所７８に位置し、光ファイバー３２０の切断端部位３２０ａから光が出射されることで切断報知用表示箇所７８が発光する。
【０１８１】
また、前述の実施例１と同様に、かしめピン１６０は、図３９に示すように、その頭部１６２に当該頭部１６２から分離され易い脆弱部１６３を備えている。この脆弱部１６３は、硬化樹脂１７０により被封止部１５０に接着されているので、硬化樹脂１７０を不正に削り取ろうとすると、削り取った硬化樹脂１７０に引っ付いて脆弱部１６３が取れ易くなっている。
【０１８２】
なお、上述した基板ケース７４が後述する結合部材に相当する。
【０１８３】
上述したように、本実施例８のスロットマシン１０によれば、ケース上７１とケース下７２とを結合状態とした基板ケース７４と、その結合状態を解除不可に封止する封止部材１４０と、ケース上７１と封止部材１４０とを連結する連結部１８１とを備え、この連結部１８１は、封止部材１４０による封止を解除する場合にケース上７１と封止部材１４０とを切り離すために切断される被切断部位１８２を備え、基板ケース７４は、被切断部位１８２の内部を通すようにしてケース上７１から封止部材１４０まで設けられた、ＬＥＤ３１０からの光が一端側から入射されて連結部１８１に近い他端側である出射端側３２２から出射されて封止部材１４０を発光させる光ファイバー３２０と、被切断部位１８２の切断に伴ってその切断された光ファイバー３２０の切断端部位３２０ａが当該被切断部位１８２の切断面から内側に引き込まれるように付勢するカール部３２３と、を備え、被切断部位１８２を切断していない通常状態では、光ファイバー３２０の出射端側３２２から出射された光で封止部材１４０が発光し、被切断部位１８２の切断後状態では、引き込まれた光ファイバー３２０の切断端部位３２０ａから出射された光で、当該被切断部位１８２が発光する。
【０１８４】
したがって、被切断部位１８２を切断していない通常状態では、光ファイバー３２０の出射端側３２２から出射された光で封止部材１４０が発光する（光拡散粒子を含有する封止部材１４０の場合には封止部材１４０が一様に発光するし、光拡散粒子を含有しない封止部材１４０の場合には封止部材１４０での入射光が到達する面箇所が発光する）ので、被切断部位１８２ではなく、発光する封止部材１４０に遊技場関係者等を着目させることができ、封止部材１４０を明るく見易い状態で目視確認ができ、封止部材１４０に対する不正の有無が確認し易い。
【０１８５】
一方、被切断部位１８２の切断後状態では、引き込まれた光ファイバー３２０の切断端部位３２０ａが位置する、ケース上７１での切断報知用表示箇所７８が発光するので、切断報知用表示箇所７８が点灯していることで、連結部１８１の切断を遊技場関係者等に明確に知らせることができる。
【０１８６】
また、切断された光ファイバー３２０の切断端部位３２０ａは、被切断部位１８２の切断面から内側に引き込まれて切断報知用表示箇所７８に位置しているので、その切断端部位３２０ａにアクセスすることが困難になり、光ファイバー３２０の切断端部位３２０ａを不正に再接続することを低減できる。
【０１８７】
上述したように、被切断部位１８２の切断前では封止部材１４０に、被切断部位１８２の切断後では当該被切断部位１８２に、遊技場関係者等を注視させることができ、被切断部位１８２の切断前と切断後とに応じた報知を行うことができる。
【０１８８】
よって、封止部材１４０及び連結部１８１に対する不正痕跡を容易に発見でき、不正行為を低減できる遊技機を提供することができる。
【０１８９】
また、封止部材１４０は、ケース上７１とケース下７２との結合状態で連通形成された有底係止穴１５１を有する被封止部１５０と、この被封止部１５０の有底係止穴１５１に挿入されて係止する挿入係止部１６１と当該挿入係止部１６１の挿入後端側に位置する頭部１６２とを有するかしめピン１６０と、被封止部１５０の有底係止穴１５１にかしめピン１６０を挿入して係止させた状態にて当該被封止部１５０でのかしめピン１６０の頭部１６２の箇所に充填して硬化させた光透過性の硬化樹脂１７０と、を備え、光ファイバー３２０は、その出射端側３２２から出射された光を硬化樹脂１７０に導入するように配設され、被切断部位１８２を切断していない通常状態では、光ファイバー３２０の出射端側３２２から出射された光で封止部材１４０での硬化樹脂１７０が発光する。
【０１９０】
したがって、被切断部位１８２を切断していない通常状態では、光ファイバー３２０の出射端側３２２から出射された光が封止部材１４０の硬化樹脂１７０に入射され、この入射光が硬化樹脂１７０内の光拡散粒子によって拡散されて外部に出射されるので、硬化樹脂１７０が一様に発光し、封止部材１４０の硬化樹脂１７０を明るく見易い状態で目視確認ができ、かしめピン１６０の頭部１６２の箇所に充填された硬化樹脂１７０に対する不正の有無が確認し易い。
【０１９１】
また、硬化樹脂１７０が光拡散粒子を含まない場合には、封止部材１４０の被封止部１５０での硬化樹脂１７０が削られたり切れ目が入れられたりすると、その硬化樹脂１７０の削れ部位や切れ目箇所から光が出射されるので、削れ部位や切れ目箇所が発光によって目立ち、硬化樹脂１７０への破壊痕跡を発見し易い。
【０１９２】
さらに、受容凹部１５２での硬化樹脂１７０と接する内面箇所のうちで少なくとも、光ファイバー３２０の出射端側３２２からの光が硬化樹脂１７０（光拡散粒子を含まない場合に限る）の内部を進んで到達する箇所に、光吸収部材（例えば、可視光を吸収するフィルター、フィルム、シートまたは光吸収層など）を設ける場合には、光ファイバー３２０の出射端側３２２からの光が硬化樹脂１７０（光拡散粒子を含まない場合に限る）の内部に入射されるものの光吸収部材で吸収されて硬化樹脂１７０が発光することはないが、硬化樹脂１７０が削られたり切れ目が入れられたりすると、その硬化樹脂１７０の削れ部位や切れ目箇所から光が出射される。つまり、通常は発光していない硬化樹脂１７０を削ったり切れ目を入れたりすると、その削れ部位や切れ目箇所が発光することで特に目立ち、硬化樹脂１７０への破壊痕跡をさらに発見し易くできる。
【０１９３】
また、かしめピン１６０の頭部１６２における脆弱部１６３は、分離され易く、且つ、硬化樹脂１７０により被封止部１５０に接着されているので、かしめピン１６０の頭部１６２周辺における硬化樹脂１７０を不正行為者が削り取ろうとすると、削り取られた硬化樹脂１７０と一緒に脆弱部１６３も取れてしまう。この取れた脆弱部１６３を元通りに被封止部１５０に戻したとしても、その戻した脆弱部１６３と頭部１６２との境界面が光の乱反射で目立ち、かしめピン１６０への破壊痕跡を発見し易い。
【０１９４】
また、この実施例８では、被切断部位１８２の切断後状態において、ケース上７１での切断報知用表示箇所７８が発光するようにしているが、図４３に示すように、被切断部位１８２の切断後状態では、引き込まれた光ファイバー３２０の切断端部位３２０ａから出射された光で、被切断部位１８２が発光するようにしてもよい。図４３は、連結部１８１の切断箇所を発光させた状態での主制御装置７０のＤ―Ｄ線断面図である。この場合には、被切断部位１８２の切断後状態では、引き込まれた光ファイバー３２０の切断端部位３２０ａから出射された光で連結部１８１の被切断部位１８２が発光するので、連結部１８１の被切断部位１８２が切断されたことを遊技場関係者等に知らせることができる。また、不正行為者によって、連結部１８１が切断されてケース上７１とケース下７２との結合状態が解除されて不正行為がなされた後に、その切断された連結部１８１を元通りに配置し直したりしても、当該被切断部位１８２が光の乱反射で目立ち、連結部１８１への破壊痕跡を発見し易い。また、切断された光ファイバー３２０の切断端部位３２０ａは、被切断部位１８２の切断面から内側に引き込まれるので、その切断端部位３２０ａにアクセスすることが困難になり、光ファイバー３２０の切断端部位３２０ａを不正に再接続することを低減できる。
【０１９５】
なお、前述した実施例１の場合も、本実施例８と同様に封止部材１４０に光を入射させる構成である点において共通するため、前述の実施例１においても上述した効果を有する。また、本実施例８では、光ファイバー３２０の出射端側３２２を、実施例１の場合よりも封止部材１４０の中央箇所（かしめピン１６０のピン中心箇所）に向けるように配設しているため、封止部材１４０の中央箇所（硬化樹脂１７０やかしめピン１６０の頭部１６２）への入射光量が実施例１の場合よりも多くなっている。
【０１９６】
また、前述した実施例１の図１４に示すように、被封止部１５０は、有底係止穴１５１の開口側の内周箇所に突出形成されて、硬化樹脂１７０によりかしめピン１６０の頭部１６２に接着された脆弱部１５５をさらに備える構成としてもよい。この場合には、封止部材１４０の硬化樹脂１７０を不正な細状部材を用いて除去しようとすると、硬化樹脂１７０の不正な除去に伴って被封止部１５０の脆弱部１５５が破壊され、その除去した硬化樹脂１７０と一緒に脆弱部１５５が取れてしまう。この取れた脆弱部１５５を元通りに被封止部１５０に戻したとしても、その戻した脆弱部１５５と頭部１６２との境界面が光の乱反射で目立ち、かしめピン１６０への破壊痕跡を発見し易い。
【０１９７】
この発明は、上記実施形態に限られることはなく、同様の効果を奏する別の構成としてもよく、例えば下記のように変形実施することができる。
【０１９８】
＜１＞上述した実施例１〜４及び８では、ケース上７１の連結部１８１に光ファイバー３２０を設けるようにしているが、ケース下７２に設けるようにしてもよい。また、実施例４の変形例では、ケース上７１の連結部１８１に、光ファイバー３２０に替えて導線を設けるようにしているが、ケース下７２に設けるようにしてもよい。
【０１９９】
＜２＞上述した実施例１〜４及び８では、付勢手段としてカール部３２３を採用しているが、線状の光ファイバー３２０の出射端側３２２が固定され、且つ、光ファイバー３２０での連結部１８１よりもＬＥＤ３１０に近い箇所を弾性部材（例えば、コイルバネ、板バネ）で連結部１８１から離れる方向に付勢する構成を採用してもよい。この場合であっても、連結部１８１の被切断部位１８２の切断によって、光ファイバー３２０の切断端部位３２０ａが被切断部位１８２の切断面から内部に引き込むことができる。
【０２００】
＜３＞上述した各実施例では、主制御基板７３の電子部品実装面を、ケース上７１の内側面に対向させた状態で当該ケース上７１の内側面に取り付けているが、主制御基板７３の半田面をケース上７１に対向させて取り付けるようにしてもよい。また、主制御基板７３をケース上７１に取り付けているがケース下７２に取り付けるようにしてもよいし、ケース下７２の内側面に主制御基板７３の電子部品実装面を対向させて取り付けるようにしてもよいし、半田面を対向させて取り付けるようにしてもよい。
【０２０１】
＜４＞図３４（ａ），（ｂ）に示すように、ケース上７１は、封止部材１４０の存する箇所での当該ケース上７１とケース下７２との境界面ＢＬを囲う囲い壁２１０を備えるようにしてもよい。この場合には、ケース上７１の囲い壁２１０によって、封止部材１４０の存する箇所での当該ケース上７１とケース下７２との境界面ＢＬが囲われているので、当該境界面ＢＬに不正な細状部材の挿入を困難とすることができ、当該境界面ＢＬに不正な細状部材を挿入して封止部材１４０の存する箇所でのケース上７１とケース下７２とを引き離すことを困難とすることができる。また、ケース上７１の囲い壁２１０と、この囲い壁２１０を有しない方のケース下７２との境目に不正な細状部材を挿入したとしても、囲い壁２１０を反らす方向に力がかかるだけで、当該境界面ＢＬを離す方向つまりかしめピン１６０が抜ける方向には力がかからないので、囲い壁２１０に沿って無理矢理に不正な細状部材を挿入したとしても、封止部材１４０の封止解除できない。その結果、不正開封を低減できる基板ケース７４を用いた遊技機を提供することができる。また、ケース下７２に囲い壁２１０を設けた場合も同様の効果を有する。
【０２０２】
＜５＞図３５に示すように、有底係止穴１５１は、ケース上７１に形成された、かしめピン１６０の挿入係止部１６１よりも径の大きい貫通孔部２２０と、ケース下７２に形成されて貫通孔部２２０よりも直径が小さく且つ挿入係止部１６１を係止する奥側穴部２２１とを連通形成した二段穴としてもよい。この場合では、被封止部１５０の有底係止穴１５１にかしめピン１６０を挿入して係止させた状態にてこの被封止部１５０の受容凹部１５２に充填した硬化前樹脂は、貫通孔部２２０と挿入係止部１６１との間にも流入してケース上７１とケース下７２とかしめピン１６０とに接触した状態で硬化させることができ、硬化樹脂１７０はケース上７１とケース下７２とかしめピン１６０との３部材とを接着することができ、有底係止穴１５１の貫通孔部２２０にまで入り込んだ硬化樹脂１７０を除去することはさらに困難であり、不正行為を低減できる。
【０２０３】
＜６＞上述した各実施例のケース上７１およびケース下７２は両者を合わせた状態でその少なくとも一方をスライド移動させることで、ケース上７１およびケース下７２が閉塞した状態となる構成を採用しているが、スライド無しの嵌め合わせ構造や、回動軸を軸心として回動式で組み合わせる構成などを採用してもよい。
【０２０４】
＜７＞図３６に示すように、かしめピン１６０の頭部１６２の延出部１６４の基端側に切り欠き溝部１６８を備えるようにしてもよい。また、図３６では、切り欠き溝部１６８を、頭部１６２の挿入面側で延出部１６４の基端側に形成しているが、切り欠き溝部１６８を、頭部１６２の表面側で延出部１６４の基端側に形成してもよい。また、実施例５〜８のかしめピン１６０の頭部１６２の延出部１６４の基端側に切り欠き溝部１６８を備えるようにしてもよい。この場合には、延出部１６４は、その基端側に切り欠き溝部１６８を備えているので、さらに、延出部１６４の切り欠き溝部１６８の表面積の分も、頭部１６２の硬化樹脂１７０への接着面積を拡大することができ、その拡大した分、頭部１６２と硬化樹脂１７０との接着力がさらに向上するし、その切り欠き溝部１６８で延出部１６４が破断し易くなっているので、より破断し易い脆弱部１６３を形成することができるし、硬化樹脂１７０を不正な細状部材を用いて除去しようとすると、硬化樹脂１７０の不正な除去に伴ってかしめピン１６０の頭部１６２の延出部１６４が切り欠き溝部１６８で破断して、その除去した硬化樹脂１７０と一緒に延出部１６４が取れてしまうので、この延出部１６４が破断したかしめピン１６０を不正に再使用しても、そのかしめピン１６０の頭部１６２の延出部１６４の破断を見ることで、基板ケース７４が開封されたことがわかる。
【０２０５】
＜８＞上述した実施例５のかしめピン１６０の頭部１６２の表面側に溝部１６５を設けていた（図２６参照）が、この溝部１６５を設けないようにしてもよい。
【０２０６】
＜９＞上述した各実施例では、固定解除用被破壊部１８０は所定箇所を切断工具で切断破壊されるものとしているが、例えば、固定解除用被破壊部１８０の肉厚を他の箇所と比べて薄くし、かかる固定解除用被破壊部１８０を押下することで破断するものとしてもよい。
【０２０７】
＜１０＞上述した各実施例では、主制御基板７３を内部に収容する基板ケース７４を例に挙げて説明しているが、主制御基板７３以外の表示制御基板などの各種の制御基板を内部に収容する基板ケースに採用することもできる。
【０２０８】
＜１１＞上述した各実施例では、基板ケース７４は、ケース上７１とケース下７２とを合わせた状態でその内部空間に主制御基板７３を収納するものとしているが、例えば、ケース上７１に主制御基板７３を取り付けた後に、ケース上７１の主制御基板７３の取付面側を他の部材で覆い、さらにこの他の部材の少なくとも一部をケース下７２で覆い、ケース上７１およびケース下７２を封止部材１４０で封止して当該基板ケース７４を開封不可とするようにしてもよい。
【０２０９】
＜１２＞上述した各実施例では、係止穴として有底係止穴１５１を採用しているが、底無し係止穴を採用してもよい。
【０２１０】
＜１３＞上述した各実施例では、封止部材１４０は、基板ケース７４の封止（かしめ）に用いているが、封止部材１４０を基板ケース７４と取付台１００との封止（かしめ）に用いてもよいし、種々の部品の封止（かしめ）に用いてもよい。例えば、流通過程や遊技場（ホール）などで不正に交換や不正改造などがされたら困る部品としては、払出装置やスタートレバーやストップスイッチなどが挙げられる。
【０２１１】
＜１４＞上述した各実施例では、頭部１６２は図１２（ｂ）に示すように少なくとも一方向視でＴノ字形状としているが、それ以外の形状としてもよく、頭部１６２を断面視で挿入貫通孔７１ｇよりも小さい形状としてもよい。頭部１６２は後端部であるとも言える。
【０２１２】
＜１５＞上述した実施例１〜４及び８では、光ファイバー３２０の出射端側３２２を接着剤３４０によって挿入穴７７の奥側に接着固定しているが、図３７（ａ），（ｂ）に示すような係止固定などを採用してもよい。
【０２１３】
図３７（ａ）は、光ファイバー３２０の出射端側３２２を係止固定する構成であって、光ファイバー３２０の出射端側３２２の外周に接着して取り付けた係止取付部品３８０に被係止用窪み部３８０ａを形成し、挿入穴７７に係止突起７７ａを形成した場合の要部概略断面図であり、図３７（ｂ）は、挿入穴７７に被係止用窪み部７７ｂを形成し、光ファイバー３２０の出射端側３２２の外周に例えば接着して取り付けた係止取付部品３８０に係止突起３８０ｂを形成した場合の要部概略断面図である。
【０２１４】
図３７（ａ）に示すように、光ファイバー３２０の出射端側３２２の外周に接着して取り付けた係止取付部品３８０の外周面に被係止用窪み部３８０ａを形成し、挿入穴７７の奥側の内壁部に係止突起７７ａを形成し、光ファイバー３２０を挿入穴７７に挿入すると、挿入穴７７の係止突起７７ａが光ファイバー３２０の被係止用窪み部３８０ａに係止され、光ファイバー３２０の出射端側３２２を挿入穴７７に係止固定する構成を採用してもよい。
【０２１５】
またその逆の構成として、図３７（ｂ）に示すように、挿入穴７７に被係止用窪み部７７ｂを形成し、光ファイバー３２０の出射端側３２２の外周に例えば接着して取り付けた係止取付部品３８０に係止突起３８０ｂを形成し、光ファイバー３２０を挿入穴７７に挿入すると、光ファイバー３２０の係止突起３８０ｂが挿入穴７７の被係止用窪み部７７ｂに係止され、光ファイバー３２０の出射端側３２２を挿入穴７７に係止固定するようにしてもよい。
【０２１６】
また、光ファイバー３２０の出射端側３２２の外被部分に、被係止用窪み部３８０ａや係止突起３８０ｂを形成してもよい。なお、この外被部分に被係止用窪み部３８０ａや係止突起３８０ｂを形成しているので、被係止用窪み部３８０ａや係止突起３８０ｂからの光の漏れは無い。
【０２１７】
＜１６＞上述した実施例１〜４及び８では、光ファイバー３２０の入射端側３２１を接着剤３４０で支持部材３５０に接着固定しているが、図３７（ｃ），（ｄ）に示すような係止固定などを採用してもよい。
【０２１８】
図３７（ｃ）は、光ファイバー３２０の入射端側３２１を係止固定する構成であって、光ファイバー３２０の入射端側３２１の外周に接着して取り付けた係止取付部品３８０に被係止用窪み部３８０ａを形成し、支持部材３５０の貫通孔３５１に係止突起３５１ａを形成した場合の要部概略断面図であり、図３７（ｄ）は、支持部材３５０の貫通孔３５１に被係止用窪み部３５１ｂを形成し、光ファイバー３２０の入射端側３２１の外周に接着して取り付けた係止取付部品３８０に係止突起３８０ｂを形成した場合の要部概略断面図である。
【０２１９】
図３７（ｃ）に示すように、光ファイバー３２０の入射端側３２１の外周に例えば接着して取り付けた係止取付部品３８０の外周面に被係止用窪み部３８０ａを形成し、支持部材３５０の貫通孔３５１の奥側の内壁部に係止突起３５１ａを形成し、光ファイバー３２０を貫通孔３５１に挿入すると、貫通孔３５１の係止突起３５１ａが光ファイバー３２０の被係止用窪み部３８０ａに係止され、光ファイバー３２０の入射端側３２１を貫通孔３５１に係止固定する構成を採用してもよい。
【０２２０】
またその逆の構成として、貫通孔３５１に被係止用窪み部３５１ｂを形成し、光ファイバー３２０に係止突起３８０ｂを形成して係止固定するようにしてもよい。
【０２２１】
また、光ファイバー３２０の入射端側３２１の外被部分に、被係止用窪み部３８０ａや係止突起３８０ｂを形成してもよい。なお、この外被部分に被係止用窪み部３８０ａや係止突起３８０ｂを形成しているので、被係止用窪み部３８０ａや係止突起３８０ｂからの光の漏れは無い。
【０２２２】
＜１７＞上述した実施例１〜４では、光ファイバー３２０の切断部位３２０を基板ボックス２６３の内部の方に引き込んでいるが、被封止部１５０（かしめ部）の内部の方に引き込むようにしてもよい。
【０２２３】
＜１８＞上述した実施例１〜４及び８では、伝送部材、光伝送部材として光ファイバー３２０を採用しているが、光ファイバー以外の部品であって導光部材や導光板などの導光部品などを採用してもよい。
【０２２４】
＜１９＞上述した各実施例では、光ファイバー３２０の一部（線状部３２４の一部）を連結部１８１の内部に通しているが、光ファイバー３２０の一部（線状部３２４の一部）を連結部１８１の外側に配設（例えば、連結部の１８１の外面に沿わせて配設）し、その出射端側３２２からの光を封止部材１４０や硬化樹脂１７０に入射させるようにしてもよい。また、光ファイバー３２０の出射端側３２２を連結部１８１の手前位置に配設し、出射端側３２２からの光が連結部１８１を通じて封止部材１４０や硬化樹脂１７０に入射するようにしてもよい。
【０２２５】
＜２０＞上述した実施例１では、図１７（ａ）に示すように、光ファイバー３２０の出射端側３２２が封止部材１４０の中央箇所（硬化樹脂１７０やかしめピン１６０の頭部１６２）の方に向いていないが、その出射端側３２２を封止部材１４０の中央箇所（硬化樹脂１７０やかしめピン１６０の頭部１６２）の方に向けるように配設してもよい。この場合には、封止部材１４０の中央箇所（硬化樹脂１７０やかしめピン１６０の頭部１６２）への入射光量を増加させることができる。
【０２２６】
＜２１＞また、本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２２７】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２２８】
なお、本明細書は、次のような遊技機に係る発明も開示している。
【０２２９】
＜第１課題＞
従来、遊技機の代表例として例えばスロットマシンがある。このスロットマシンは、例えば、その筐体内部の所定箇所に、遊技を制御する制御基板を基板ケースに収容した制御装置が配設されている。この基板ケースは、例えば、その内部に制御基板を被包して収容するためのベース部とカバー部とを備えている。また、この基板ケースには、このケースを開封不可に封止するための封止機構を備えている。この封止機構と基板ケースとを連結する連結部を切断しない限り、基板ケースが開封できない構造となっており、その連結部を切断してケースを開封した場合には、連結部の切断痕跡に基づいて開封（正規開封、不正開封の種類を問わず）の有無が確認でき、不正開封防止が図られている（例えば、特許文献１参照：特開２００５−１１１０２７号公報）。
【０２３０】
しかしながら、このような構成を有する従来例の場合には、次のような問題がある。
不正行為者によって、連結部が切断されて基板ケースが不正に開封され、制御基板に不正を施した後に、その切断された封止機構を元通りに配置し直したりするおそれがある。この場合には、連結部の切断痕跡を発見し辛く、基板ケースの不正な開封の発見が遅れてしまうという問題がある。
【０２３１】
以下の発明は、このような事情等に鑑みてなされたものであって、不正行為を低減できる遊技機を提供することを目的とする。
【０２３２】
（Ａ１）  第１部材と、第２部材と、前記第１部材と前記第２部材との結合状態を解除不可に封止する封止手段とを備えた遊技機において、
前記第１部材と前記第２部材の少なくとも一方と前記封止手段とを連結する連結部を備え、
前記連結部は、前記封止手段による封止を解除する場合に前記第１部材と前記第２部材の少なくとも一方と前記封止手段とを切り離すために切断される被切断部位を備え、
少なくとも前記被切断部位の内部を通すようにして前記第１部材または前記第２部材から前記連結部または前記封止手段まで設けられた、当該連結部の切断を知らせるための伝送部材と、
前記被切断部位の切断に伴って切断された前記伝送部材の切断端部位が当該被切断部位の切断面から内側に引き込まれるように付勢する付勢手段と、
を備えていることを特徴とする遊技機。
【０２３３】
前記（Ａ１）に記載の遊技機によれば、第１部材と第２部材との結合状態を解除するために、連結部の被切断部位が切断されると、この被切断部位の内部の伝送部材も切断される。伝送部材が切断されたことで、連結部の切断を知らせることができる。さらに、切断された伝送部材の切断端部位は、付勢手段によって、被切断部位の切断面から内側に引き込まれてしまうので、切断された伝送部材の切断端部位にアクセスすることが困難になり、伝送部材の切断端部位を不正に再接続することを低減できる。その結果、不正行為を低減できる遊技機を提供することができる。
【０２３４】
（Ａ２）  前記（Ａ１）に記載の遊技機において、
前記伝送部材は、光源からの光が一端側から入射されて前記連結部に位置する箇所に形成された出射部から出射する光伝送部材であり、
前記被切断部位を切断していない通常状態では、前記光伝送部材の前記出射部から出射された光で前記連結部が発光し、
前記被切断部位の切断後状態では、引き込まれた前記光伝送部材の切断端部位が位置する、前記第１部材または前記第２部材での所定箇所である切断報知用表示箇所が発光する
ことを特徴とする遊技機。
【０２３５】
前記（Ａ２）に記載の遊技機によれば、光源からの光は、光伝送部材の一端側から入射されて、連結部に位置する箇所に形成された出射部から出射される。被切断部位を切断していない通常状態では、光伝送部材の出射部から出射された光で連結部が発光しているので、連結部の被切断部位を示唆することができる。また、被切断部位の切断後状態では、引き込まれた光伝送部材の切断端部位が位置する、第１部材または第２部材での切断報知用表示箇所が発光するので、連結部とは異なる切断報知用表示箇所が点灯していることで、連結部の切断を明確に知らせることができる。また、切断された光伝送部材の切断端部位は、被切断部位の切断面から内側に引き込まれるので、その切断端部位にアクセスすることが困難になり、光伝送部材の切断端部位を不正に再接続することを低減できる。
【０２３６】
（Ａ３）  前記（Ａ１）に記載の遊技機において、
前記伝送部材は、光源からの光が一端側から入射されて、前記封止手段の内部に位置する他端側からその光が出射される光伝送部材であり、
前記被切断部位を切断していない通常状態では、前記光伝送部材の他端側から出射された光で前記封止手段が発光し、
前記被切断部位の切断後状態では、引き込まれた前記光伝送部材の切断端部位が位置する前記第１部材または前記第２部材での所定箇所である切断報知用表示箇所、または、引き込まれた前記光伝送部材の切断端部位が位置する前記連結部の切断箇所が発光する
ことを特徴とする遊技機。
【０２３７】
前記（Ａ３）に記載の遊技機によれば、光源からの光は、光伝送部材の一端側から入射されて、封止手段の内部に位置する、光伝送部材の他端側から出射される。被切断部位を切断していない通常状態では、光伝送部材の他端側から出射された光で封止手段が発光しているので、発光によって封止手段を注視させることができる。また、被切断部位の切断後状態では、引き込まれた光伝送部材の切断端部位が位置する、第１部材または第２部材での切断報知用表示箇所が発光したり、引き込まれた光伝送部材の切断端部位が位置する、連結部の切断箇所が発光したりするので、封止手段とは異なる切断報知用表示箇所または連結部の切断箇所が点灯していることで、連結部の切断を明確に知らせることができる。また、切断された光伝送部材の切断端部位は、被切断部位の切断面から内側に引き込まれるので、その切断端部位にアクセスすることが困難になり、光伝送部材の切断端部位を不正に再接続することを低減できる。
【０２３８】
（Ａ４）  前記（Ａ１）に記載の遊技機において、
前記伝送部材は、光源からの光が一端側から入射されて、前記封止手段の内部に位置する他端側からその光が出射される光伝送部材であり、
前記光伝送部材の前記他端側からの光の出射を遮るまたは前記一端側の方に光を反射させる終端部を備え、
前記被切断部位を切断していない通常状態では、前記連結部は消灯状態であり、
前記被切断部位の切断後状態では、引き込まれた前記光伝送部材の切断端部位が位置する前記第１部材または前記第２部材での所定箇所である切断報知用表示箇所、または、引き込まれた前記光伝送部材の切断端部位が位置する前記連結部の切断箇所が発光する
ことを特徴とする遊技機。
【０２３９】
前記（Ａ４）に記載の遊技機によれば、光源からの光は、光伝送部材の一端側に入射され、封止手段の内部に位置する、当該光伝送部材の他端側から出射される。終端部は、光伝送部材の他端側からの光の出射を遮る、または、光伝送部材の一端側の方に光を反射させる。被切断部位を切断していない通常状態では、連結部が消灯状態であるが、被切断部位の切断後状態では、引き込まれた光伝送部材の切断端部位が位置する、第１部材または第２部材での切断報知用表示箇所が発光したり、引き込まれた光伝送部材の切断端部位が位置する、連結部の切断箇所が発光したりするので、封止手段とは異なる切断報知用表示箇所または連結部の切断箇所が点灯していることで、連結部の切断を明確に知らせることができる。また、切断された光伝送部材の切断端部位は、被切断部位の切断面から内側に引き込まれるので、その切断端部位にアクセスすることが困難になり、光伝送部材の切断端部位を不正に再接続することを低減できる。
【０２４０】
（Ａ５）  前記（Ａ１）に記載の遊技機において、
前記伝送部材は、その一端側から光信号が入力されて他端側に伝送する光伝送部材であり、
前記光伝送部材の他端側から出力される光信号を検出する検出手段と、
前記検出手段で所定の光信号が検出されない場合に前記連結部の切断を示唆する示唆手段と、
を備えていることを特徴とする遊技機。
【０２４１】
前記（Ａ５）に記載の遊技機によれば、光信号は、光伝送部材の一端側から入力されて当該光伝送部材の他端側に伝送される。検出手段は、光伝送部材の他端側から出力される光信号を検出する。示唆手段は、検出手段で所定の光信号が検出されない場合に、連結部の切断を示唆する。したがって、連結部の切断を示唆手段によって明確に知らせることができる。また、切断された光伝送部材の切断端部位は、被切断部位の切断面から内側に引き込まれるので、その切断端部位にアクセスすることが困難になり、光伝送部材の切断端部位を不正に再接続することを低減できる。
【０２４２】
（Ａ６）  前記（Ａ１）に記載の遊技機において、
前記伝送部材は、その一端側から電気信号が入力されて他端側に伝送する電気信号伝送部材であり、
前記電気信号伝送部材の他端側から出力される電気信号を検出する検出手段と、
前記検出手段で所定の電気信号が検出されない場合に前記連結部の切断を示唆する示唆手段と、
を備えていることを特徴とする遊技機。
【０２４３】
前記（Ａ６）に記載の遊技機によれば、電気信号は、電気信号伝送部材の一端側から入力されて当該電気信号伝送部材の他端側に伝送される。検出手段は、電気信号伝送部材の他端側から出力される電気信号を検出する。示唆手段は、検出手段で所定の電気信号が検出されない場合に、連結部の切断を示唆する。したがって、連結部の切断を示唆手段によって明確に知らせることができる。また、切断された電気信号伝送部材の切断端部位は、被切断部位の切断面から内側に引き込まれるので、その切断端部位にアクセスすることが困難になり、電気信号伝送部材の切断端部位を不正に再接続することを低減できる。
【０２４４】
＜第２課題＞
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
【０２４５】
また、パチンコ機は、その裏面側に、遊技を制御する制御基板を収容した基板ケースを備えている。この基板ケースは、その内部に制御基板を被包して収容するためのベース部とカバー部とを備えている。また、この基板ケースには、このケースを封止するための封止機構を備えている。この封止機構は所定箇所を破壊しない限り開封できない構造となっており、その封止機構を破壊してケースを開封した場合には、封止機構の破壊に基づいて開封（正規開封、不正開封の種類を問わず）の有無が確認でき、不正開封防止が図られている（例えば、特許文献：特開２００５−１５２２９７号公報を参照）。
【０２４６】
しかしながら、このような構成を有する従来例の場合には、次のような問題がある。
すなわち、従来のパチンコ機では、例えば、封止機構として、ベース部とカバー部とを合わせた状態で所定箇所に形成される単一の有底穴状の係止雌部に係止ピンを挿入することで、当該係止ピンが係止雌部に係止して抜けなくなり、さらにこの係止ピンのピン頭部分を硬化性樹脂で固着させて、基板ケースを封止するものがあるが、このような硬化樹脂を用いた封止機構であっても硬化樹脂が簡単に取り外されてしまうと、不正に開封されて不正行為が行われることがあるという問題がある。
【０２４７】
以下の発明は、このような事情等に鑑みてなされたものであって、不正行為を低減できる遊技機を提供することを目的とする。
【０２４８】
（Ａ７）  遊技機についての所定の遊技に関する制御を司る制御基板を内部に収容する遊技機用基板収容ケースを備えた遊技機において、
前記遊技機用基板収容ケースは、第１ケース体と、前記第１ケース体と合わされる第２ケース体とを備え、
前記遊技機用基板収容ケースは、その所定箇所に、前記制御基板が取り付けられた前記第１ケース体でのその制御基板取付面側に前記第２ケース体を合わせた状態で前記第１ケース体および前記第２ケース体を封止して当該遊技機用基板収容ケースを開封不可とする封止手段を備え、
前記封止手段は、
前記第１ケース体と前記第２ケース体とを合わせた状態での所定箇所に連通形成された係止穴を有する被封止部と、
前記被封止部の前記係止穴に挿入されて係止される挿入係止部と当該挿入係止部の挿入後端側に位置する頭部とを有する係止部材と、
前記被封止部の前記係止穴に前記係止部材を挿入して係止させた状態にて当該被封止部での前記係止部材の前記頭部の箇所に充填して硬化させた硬化樹脂と、
を備え、
前記被封止部は、前記係止穴の開口側の内周箇所に突出形成されて、前記硬化樹脂により前記係止部材の前記頭部に接着された脆弱部を備えている
ことを特徴とするものである。
【０２４９】
前記（Ａ７）に記載の発明によれば、遊技機用基板収容ケースは、第１ケース体と、この第１ケース体と合わされる第２ケース体とを備え、内部空間内に、遊技機についての所定の遊技に関する制御を司る制御基板を収容するものである。また、この遊技機用基板収容ケースは、その所定箇所に、制御基板が取り付けられた第１ケース体でのその制御基板取付面側に第２ケース体を合わせた状態で第１ケース体および第２ケース体を封止して当該遊技機用基板収容ケースを開封不可とする封止手段を備えている。そして、この封止手段は、第１ケース体と第２ケース体とを合わせた状態での所定箇所に連通形成された係止穴を有する被封止部と、この被封止部の係止穴に挿入されて係止される挿入係止部と当該挿入係止部の挿入後端側に位置する頭部とを有する係止部材と、被封止部の係止穴に係止部材を挿入して係止させた状態にて当該被封止部での係止部材の頭部の箇所に充填して硬化させた硬化樹脂とを備えている。よって、被封止部と係止部材の頭部とを、つまり、第１ケース体または第２ケース体と係止部材とを硬化樹脂で接着することができる。また、被封止部の係止穴は、硬化樹脂により係止部材の頭部に接着された脆弱部を備えている。したがって、例えば、封止手段の硬化樹脂を不正な細状部材を用いて除去しようとすると、硬化樹脂の不正な除去に伴って被封止部の脆弱部が破壊され、その除去した硬化樹脂と一緒に脆弱部が取れてしまうので、この脆弱部が取れた被封止部の遊技機用基板収容ケースを不正に再使用しても、その被封止部の脆弱部の破損を見ることで、遊技機用基板収容ケースが開封されたことがわかる。その結果、不正行為を低減できる遊技機を提供することができる。
【０２５０】
（Ａ８）  前記（Ａ７）に記載の遊技機において、
前記被封止部は、前記係止穴の入口側周囲箇所に、前記係止部材が挿入係止された状態での前記頭部が位置する窪み空間を有するものであって、その窪み空間内に硬化前樹脂が充填される受容凹部を備えている
ことを特徴とする遊技機。
【０２５１】
前記（Ａ８）に記載の発明によれば、被封止部での係止穴の入口側周囲箇所に設けられた受容凹部は、その窪み空間内に、係止部材が挿入係止された状態での当該係止部材の頭部を位置させた状態で、その窪み空間に硬化前樹脂が充填されて硬化されるので、受容凹部の窪み空間内に頭部を位置させた状態で硬化樹脂で覆うことができ、窪み空間の硬化樹脂を不正に除去することが困難であり、硬化樹脂を不正な細状部材を用いて除去して不正に係止部材を取り外そうとすると、硬化樹脂の不正な除去に伴って被封止部の脆弱部が破壊され、その除去した硬化樹脂と一緒に脆弱部が取れてしまうので、この脆弱部が取れた被封止部を不正に再使用しても、その被封止部の脆弱部の破損を見ることで、遊技機用基板収容ケースが開封されたことがわかる。その結果、不正行為を低減できる遊技機を提供することができる。
【０２５２】
（Ａ９）  前記（Ａ８）に記載の遊技機において、
前記脆弱部は、前記係止穴の開口側の内周箇所に突出形成された突出部である
ことを特徴とする遊技機。
【０２５３】
前記（Ａ９）に記載の発明によれば、脆弱部は、係止穴の開口側の内周箇所に突出形成された突出部としているので、その突出部の表面積の分だけ、係止穴の硬化樹脂への接着面積を拡大することができ、その拡大した分、係止穴と硬化樹脂との接着力が向上するので、硬化樹脂を不正な細状部材を用いて除去しようとすると、硬化樹脂の不正な除去に伴って被封止部の係止穴の突出部が破壊され、その除去した硬化樹脂と一緒に突出部が取れてしまうので、この突出部が取れた被封止部を不正に再使用しても、その被封止部の突出部の破損を見ることで、遊技機用基板収容ケースが開封されたことがわかる。
【０２５４】
（Ａ１０）  前記（Ａ８）に記載の遊技機において、
前記脆弱部は、前記係止穴の開口側の内周箇所に複数本突出形成された複数本の突出部である
ことを特徴とする遊技機。
【０２５５】
前記（Ａ１０）に記載の発明によれば、脆弱部は、係止穴の開口側の内周箇所に複数本突出形成された複数本の突出部としているので、その複数本の突出部の表面積の分だけ、係止穴の硬化樹脂への接着面積を拡大することができ、その拡大した分、係止穴と硬化樹脂との接着力が向上するので、硬化樹脂を不正な細状部材を用いて除去しようとすると、硬化樹脂の不正な除去に伴って被封止部の係止穴の複数本の突出部のうちのいずれかの突出部が破壊され、その除去した硬化樹脂と一緒に一部の突出部が取れてしまうことになり、この突出部が取れた被封止部を不正に再使用しても、その被封止部の突出部の破損を見ることで、遊技機用基板収容ケースが開封されたことがわかる。
【０２５６】
（Ａ１１）  前記（Ａ９）または（Ａ１０）に記載の遊技機において、
前記突出部は、その基端側に切り欠き溝部を備えている
ことを特徴とする遊技機。
【０２５７】
前記（Ａ１１）に記載の発明によれば、突出部は、その基端側に切り欠き溝部を備えているので、さらに、突出部の切り欠き溝部の表面積の分も、係止穴の硬化樹脂への接着面積を拡大することができ、その拡大した分、係止穴と硬化樹脂との接着力がさらに向上するし、その切り欠き溝部で突出部が破断し易くなっているので、硬化樹脂を不正な細状部材を用いて除去しようとすると、硬化樹脂の不正な除去に伴って係止穴の突出部が切り欠き溝部で破断して、その除去した硬化樹脂と一緒に突出部が取れてしまうので、この突出部が破断した被封止部を不正に再使用しても、その被封止部の突出部の破断を見ることで、遊技機用基板収容ケースが開封されたことがわかる。
【０２５８】
（Ａ１２）  前記（Ａ７）から（Ａ１１）のいずれか一つに記載の遊技機において、
前記係止部材の前記頭部は、前記硬化樹脂により前記被封止部に接着された脆弱部を備えている
ことを特徴とする遊技機。
【０２５９】
前記（Ａ１２）に記載の発明によれば、係止部材の頭部は、硬化樹脂により被封止部に接着された脆弱部を備えている。したがって、例えば、封止手段の硬化樹脂を不正な細状部材を用いて除去しようとすると、硬化樹脂の不正な除去に伴って係止部材の頭部の脆弱部が破壊され、その除去した硬化樹脂と一緒に脆弱部が取れてしまうので、この脆弱部が取れた係止部材を不正に再使用しても、その係止部材の頭部の脆弱部の破損を見ることで、遊技機用基板収容ケースが開封されたことがわかる。その結果、不正行為を低減できる遊技機を提供することができる。
【０２６０】
（Ａ１３）  前記（Ａ１２）に記載の遊技機において、
前記脆弱部は、前記係止部材の挿入方向とは異なる方向に前記頭部から延出した延出部である
ことを特徴とする遊技機。
【０２６１】
前記（Ａ１３）に記載の発明によれば、脆弱部は、係止部材の挿入方向とは異なる方向に頭部から延出した延出部としているので、その延出部の表面積の分だけ、頭部の硬化樹脂への接着面積を拡大することができ、その拡大した分、頭部と硬化樹脂との接着力が向上するので、硬化樹脂を不正な細状部材を用いて除去しようとすると、硬化樹脂の不正な除去に伴って係止部材の頭部の延出部が破壊され、その除去した硬化樹脂と一緒に延出部が取れてしまうので、この延出部が取れた係止部材を不正に再使用しても、その係止部材の頭部の延出部の破損を見ることで、遊技機用基板収容ケースが開封されたことがわかる。
【０２６２】
（Ａ１４）  前記（Ａ１２）に記載の遊技機において、
前記脆弱部は、前記係止部材の挿入方向とは異なる方向に前記頭部から複数本延出した複数本の延出部である
ことを特徴とする遊技機。
【０２６３】
前記（Ａ１４）に記載の発明によれば、脆弱部は、係止部材の挿入方向とは異なる方向（例えば、直交する方向、斜め方向）に頭部から複数本延出した複数本の延出部としているので、その複数本の延出部の表面積の分だけ、頭部の硬化樹脂への接着面積を拡大することができ、その拡大した分、頭部と硬化樹脂との接着力が向上するので、硬化樹脂を不正な細状部材を用いて除去しようとすると、硬化樹脂の不正な除去に伴って係止部材の頭部の複数本の延出部のうちのいずれかの延出部が破壊され、その除去した硬化樹脂と一緒に一部の延出部が取れてしまうことになり、この延出部が取れた係止部材を不正に再使用しても、その係止部材の頭部の延出部の破損を見ることで、遊技機用基板収容ケースが開封されたことがわかる。
【０２６４】
（Ａ１５）  前記（Ａ１４）に記載の遊技機において、
前記被封止部の前記脆弱部は、前記係止穴の開口側の内周箇所に複数本突出形成された複数本の突出部であり、
前記複数本の突出部と前記複数本の延出部とは、隣り合う前記突出部の間に前記延出部が位置するように配設されている
ことを特徴とする遊技機。
【０２６５】
前記（Ａ１５）に記載の発明によれば、被封止部の脆弱部は、係止穴の開口側の内周箇所に複数本突出形成された複数本の突出部である。複数本の突出部と複数本の延出部とは、隣り合う突出部の間に延出部が位置するように配設されているので、硬化樹脂の被封止部および係止部材への接着形状を複雑に入り組んだ形状とすることができ、硬化樹脂の不正除去が困難にできるのみならず、被封止部での複数本の突出部および係止部材の頭部での複数本の延出部の表面積の分も、被封止部および係止部材の硬化樹脂への接着面積を拡大することができ、その拡大した分、被封止部および係止部材と硬化樹脂との接着力がさらに向上するし、硬化樹脂を不正な細状部材を用いて除去しようとすると、硬化樹脂の不正な除去に伴って係止部材の頭部の延出部や被封止部での複数本の突出部が破断され、その除去した硬化樹脂と一緒に延出部や突出部が取れてしまうので、延出部が破断した係止部材や突出部が破断した被封止部を不正に再使用しても、その係止部材の頭部の延出部や被封止部の突出部の破断を見ることで、遊技機用基板収容ケースが開封されたことがわかる。
【０２６６】
（Ａ１６）  前記（Ａ１４）に記載の遊技機において、
前記被封止部の前記脆弱部は、前記係止穴の開口側の内周箇所に複数本突出形成された複数本の突出部であり、
前記複数本の突出部と前記複数本の延出部とは、異なる本数としている
ことを特徴とする遊技機。
【０２６７】
前記（Ａ１６）に記載の発明によれば、被封止部の脆弱部は、係止穴の開口側の内周箇所に複数本突出形成された複数本の突出部である。複数本の突出部と複数本の延出部とは、異なる本数としているので、隣り合う突出部の間に延出部が位置する部分もあれば、突出部と延出部とが向かい合う部分もあり、硬化樹脂の被封止部および係止部材への接着形状を複雑に入り組んだ形状とすることができ、硬化樹脂の不正除去が困難にできるのみならず、被封止部での複数本の突出部および係止部材の頭部での複数本の延出部の表面積の分も、被封止部および係止部材の硬化樹脂への接着面積を拡大することができ、その拡大した分、被封止部および係止部材と硬化樹脂との接着力がさらに向上するし、硬化樹脂を不正な細状部材を用いて除去しようとすると、硬化樹脂の不正な除去に伴って係止部材の頭部の延出部や被封止部での複数本の突出部が破断され、その除去した硬化樹脂と一緒に延出部や突出部が取れてしまうので、延出部が破断した係止部材や突出部が破断した被封止部を不正に再使用しても、その係止部材の頭部の延出部や被封止部の突出部の破断を見ることで、遊技機用基板収容ケースが開封されたことがわかる。
【０２６８】
（Ａ１７）  前記（Ａ１３）または（Ａ１４）に記載の遊技機において、
前記延出部は、その基端側に切り欠き溝部を備えている
ことを特徴とする遊技機。
【０２６９】
前記（Ａ１７）に記載の発明によれば、延出部は、その基端側に切り欠き溝部を備えているので、さらに、延出部の切り欠き溝部の表面積の分も、頭部の硬化樹脂への接着面積を拡大することができ、その拡大した分、頭部と硬化樹脂との接着力がさらに向上するし、その切り欠き溝部で延出部が破断し易くなっているので、硬化樹脂を不正な細状部材を用いて除去しようとすると、硬化樹脂の不正な除去に伴って係止部材の頭部の延出部が切り欠き溝部で破断して、その除去した硬化樹脂と一緒に延出部が取れてしまうので、この延出部が破断した係止部材を不正に再使用しても、その係止部材の頭部の延出部の破断を見ることで、遊技機用基板収容ケースが開封されたことがわかる。
【０２７０】
（Ａ１８）  前記（Ａ７）から（Ａ１７）のいずれか一つに記載の遊技機において、
前記第１ケース体または前記第２ケース体は、前記封止手段の存する箇所での当該第１ケース体と第２ケース体との境界面を囲う囲い壁を備えている
ことを特徴とする遊技機。
【０２７１】
前記（Ａ１８）に記載の発明によれば、第１ケース体または第２ケース体の囲い壁によって、封止手段の存する箇所での当該第１ケース体と第２ケース体との境界面が囲われているので、当該境界面に不正な細状部材の挿入を困難とすることができ、当該境界面に不正な細状部材を挿入して封止手段の存する箇所での第１ケース体と第２ケース体とを引き離すことを困難とすることができる。また、第１ケース体または第２ケース体の囲い壁と、この囲い壁を有しない方の第１ケース体または第２ケース体との境目に不正な細状部材を挿入したとしても、囲い壁を反らす方向に力がかかるだけで、当該境界面を離す方向つまり係止部材が抜ける方向には力がかからないので、囲い壁に沿って無理矢理に不正な細状部材を挿入したとしても、封止手段の封止解除できない。その結果、不正開封を低減できる遊技機用基板収容ケースを用いた遊技機を提供することができる。
【０２７２】
（Ａ１９）  前記（Ａ７）から（Ａ１７）のいずれか一つに記載の遊技機において、
前記被封止部は、
前記第１ケース体または前記第２ケース体の一方に設けられた突出部と、
前記第１ケース体または前記第２ケース体のその他方に設けられた、前記第１ケース体と前記第２ケース体とを合わせた状態とすることで前記突出部が挿入される収容部と、
を備え、
前記係止穴は、前記突出部にその突出方向と直交する方向に貫通形成された貫通孔と、前記突出部が前記収容部に挿入された状態で前記貫通孔の一方の開口側に当該収容部に連通形成された挿入穴部と、前記貫通孔の他方の開口側に当該収容部に連通形成された挿入貫通孔とで構成されている
ことを特徴とする遊技機。
【０２７３】
前記（Ａ１９）に記載の発明によれば、第１ケース体または第２ケース体の一方には、突出部が設けられている。第１ケース体または第２ケース体のその他方には、第１ケース体と第２ケース体とを合わせた状態とすることで突出部が挿入される収容部が設けられている。係止穴は、突出部にその突出方向と直交する方向に貫通形成された貫通孔と、突出部が収容部に挿入された状態で貫通孔の一方の開口側に当該収容部に連通形成された挿入穴部と、貫通孔の他方の開口側に当該収容部に連通形成された挿入貫通孔とで構成されている。したがって、封止手段の存する箇所での当該第１ケース体と第２ケース体との境界面が収容部で囲われているので、当該境界面に不正な細状部材の挿入を困難とすることができ、当該境界面に不正な細状部材を挿入して封止手段の存する箇所での第１ケース体と第２ケース体とを引き離すことを困難とすることができる。また、収容部以外での第１ケース体と第２ケース体との境目に不正な細状部材を挿入したとしても、突出部の突出方向に力がかかるだけで、当該境界面を離す方向つまり係止部材が抜ける方向には力がかからないので、収容部以外での第１ケース体と第２ケース体との境目に無理矢理に不正な細状部材を挿入したとしても、封止手段の封止解除できない。その結果、不正開封を低減できる遊技機用基板収容ケースを用いた遊技機を提供することができる。
【０２７４】
（Ａ２０）  前記（Ａ７）から（Ａ１９）のいずれか一つに記載の遊技機において、
前記遊技機用基板収容ケースは、前記制御基板が取り付けられた前記第１ケース体でのその制御基板取付面側に前記第２ケース体を合わせた状態で前記第１ケース体または前記第２ケース体の少なくとも一方を当該合わせ面所定方向にスライド移動させることで前記第１ケース体と前記第２ケース体とを係止する係止手段を備え、
前記封止手段は、前記係止手段によって係止状態とされた前記第１ケース体および前記第２ケース体を開封不可に封止する
ことを特徴とする遊技機。
【０２７５】
前記（Ａ２０）に記載の発明によれば、遊技機用基板収容ケースの係止手段は、制御基板が取り付けられた第１ケース体でのその制御基板取付面側に第２ケース体を合わせた状態で第１ケース体または第２ケース体の少なくとも一方を当該合わせ面所定方向にスライド移動させることで、第１ケース体と第２ケース体とを係止する。封止手段は、係止手段によって係止状態とされた第１ケース体および第２ケース体を開封不可に封止する。したがって、封止手段によって第１ケース体および第２ケース体が開封不可に封止されているので、遊技機用基板収容ケースが不正に開封されることを低減できる。また、この封止状態では、係止手段によって第１ケース体および第２ケース体がスライド係止されており、第１ケース体および第２ケース体をスライド方向に直交する対向方向に開けることができず、遊技機用基板収容ケースが不正に開封されることを低減できる。
【０２７６】
（Ａ２１）  前記（Ａ２０）に記載の遊技機において、
前記係止手段は、
前記第１ケース体または前記第２ケース体の一方のケース体での前記スライド方向に平行な両辺箇所にその辺方向に並設された複数個の鉤状突起部と、
前記第１ケース体または前記第２ケース体の他方のケース体での前記スライド方向に平行な両辺箇所にその辺方向に並設された、前記鉤状突起部とは逆向きに形成された複数個の逆鉤状突起部とを備えるとともに、
前記第１ケース体または前記第２ケース体の少なくとも一方を前記スライド移動させることで前記鉤状突起部と前記逆鉤状突起部とが係止する
ことを特徴とする遊技機。
【０２７７】
前記（Ａ２１）に記載の発明によれば、遊技機用基板収容ケースの係止手段は、第１ケース体または第２ケース体の一方のケース体でのスライド方向に平行な両辺箇所にその辺方向に並設された複数個の鉤状突起部と、第１ケース体または第２ケース体の他方のケース体でのスライド方向に平行な両辺箇所にその辺方向に並設された、鉤状突起部とは逆向きに形成された複数個の逆鉤状突起部とを備えるとともに、第１ケース体または第２ケース体の少なくとも一方をスライド移動させることで鉤状突起部と逆鉤状突起部とが係止するので、封止手段によって第１ケース体および第２ケース体が開封不可に封止された封止状態では、第１ケース体または第２ケース体の両辺で所定長さに亘って配置された複数個の鉤状突起部および逆鉤状突起部でスライド係止されており、細状の不正具を第１ケース体と第２ケース体との間に挿し入れるなどして第１ケース体と第２ケース体との間に隙間を開けたり、第１ケース体および第２ケース体を開けたりすることを低減でき、遊技機用基板収容ケースが不正に隙間形成や開封されることを低減できる。
【０２７８】
（Ａ２２）  前記（Ａ２１）に記載の遊技機用基板収容ケースにおいて、
前記封止手段は、前記第１ケース体および前記第２ケース体をそのスライド移動を抑止するように固定するものであり、
さらに、前記封止手段は、前記第１ケース体および前記第２ケース体のスライド移動不可状態を解除するべく破壊される固定解除用被破壊部を備えている
ことを特徴とする遊技機。
【０２７９】
前記（Ａ２２）に記載の発明によれば、封止手段は、第１ケース体および第２ケース体を、そのスライド移動を抑止するように固定する。さらに、この封止手段の固定解除用被破壊部が破壊されると、第１ケース体および第２ケース体のスライド移動不可状態が解除される。したがって、固定解除用被破壊部の破壊痕を見ることで、遊技機用基板収容ケースが開封されたことがわかる。
【０２８０】
（Ａ２３）  前記（Ａ２２）に記載の遊技機用基板収容ケースにおいて、
前記固定解除用被破壊部は、前記第１ケース体または前記第２ケース体の少なくとも一方と前記封止手段とを結ぶ連結部である
ことを特徴とする遊技機。
【０２８１】
前記（Ａ２３）に記載の発明によれば、固定解除用被破壊部は、第１ケース体または第２ケース体の少なくとも一方と封止手段とを結ぶ連結部としているので、連結部を破断することで、第１ケース体と第２ケース体との相対的なスライド移動を可能とすることができ、第１ケース体と第２ケース体とを開封できる。なお、封止手段が第１ケース体または第２ケース体の方に残ったままであるため、当該破断痕によって開封があったことがわかる。
【０２８２】
（Ａ２４）  前記（Ａ７）に記載の遊技機において、
前記第１ケース体と前記第２ケース体の少なくとも一方と前記封止手段とを連結する連結部と、
前記封止手段による封止を解除する場合に前記第１ケース体と前記第２ケース体の少なくとも一方と前記封止手段とを切り離すために切断される、前記連結部の所定部位である被切断部位と、
少なくとも前記被切断部位の内部を通すようにして設けられた、光源からの光が一端側から入射されて前記連結部に近い他端側である出射端側から出射されて前記封止手段を発光させる光伝送部材と、
前記被切断部位の切断に伴って切断された前記光伝送部材の切断端部位が当該被切断部位の切断面から内側に引き込まれるように付勢する付勢手段と、
を備えていることを特徴とする遊技機。
【０２８３】
前記（Ａ２４）に記載の遊技機によれば、被切断部位を切断していない通常状態では、光伝送部材の出射端側から出射された光で被封止部が発光するので、被切断部位ではなく封止手段に遊技場関係者等を着目させることができ、被封止部を明るく見易い状態で目視確認ができる。例えば、被封止部の硬化樹脂の不正な除去痕跡や、被封止部の脆弱部の破損等の有無が目視確認し易い。
【０２８４】
一方、被切断部位の切断後状態では、引き込まれた光伝送部材の切断端部位から出射された光で被切断部位が発光するので、被切断部位が切断されたことを遊技場関係者等に知らせることができる。また、不正行為者によって、連結部が切断されて第１ケース体と第２ケース体との結合状態が解除されて不正行為がなされた後に、その切断された連結部を元通りに配置し直したりしても、当該被切断部位が光の乱反射で目立ち、連結部への破壊痕跡を発見し易い。
【０２８５】
また、切断された光伝送部材の切断端部位は、被切断部位の切断面から内側に引き込まれるので、その切断端部位にアクセスすることが困難になり、光伝送部材の切断端部位を不正に再接続することを低減できる。
【０２８６】
上述したように、被切断部位の切断前では封止手段に、被切断部位の切断後では当該被切断部位に、遊技場関係者等を注視させることができ、被切断部位の切断前と切断後とに応じた報知を行うことができる。
【０２８７】
よって、封止手段及び連結部に対する不正痕跡を容易に発見でき、不正行為を低減できる遊技機を提供することができる。
【０２８８】
また、前記（Ａ２４）に記載の遊技機において、前記（Ａ３）〜（Ａ５）、（Ａ８）〜（Ａ１１）の少なくとも一つを組み合わせてもよい。
【０２８９】
また、被封止部の脆弱部に替えて、あるいは被封止部の脆弱部とともに、前記（Ａ１２）に記載の係止部材での頭部の脆弱部を採用してもよい。また、前記（Ａ１３）〜（Ａ１７）の少なくとも一つを組み合わせてもよい。
【０２９０】
その他、前記（Ａ２４）に記載の遊技機において、前記（Ａ１８）〜（Ａ２３）の少なくとも一つを組み合わせてもよい。
【０２９１】
（Ａ２５）  前記（Ａ１）から（Ａ２４）のいずれか一つに記載の遊技機において、
前記遊技機はパチンコ機であることを特徴とする遊技機。
【０２９２】
前記（Ａ２５）に記載の遊技機によれば、不正行為を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２９３】
（Ａ２６）  前記（Ａ１）から（Ａ２４）のいずれか一つに記載の遊技機において、
前記遊技機はスロットマシンであることを特徴とする遊技機。
【０２９４】
前記（Ａ２６）に記載の遊技機によれば、不正行為を低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【０２９５】
（Ａ２７）  前記（Ａ１）から（Ａ２４）のいずれか一つに記載の遊技機において、
前記遊技機はパチンコ機とスロットマシンとを融合させたものであることを特徴とする遊技機。
【０２９６】
前記（Ａ２７）に記載の遊技機によれば、不正行為を低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【０２９７】
＜第３課題＞
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
【０２９８】
また、パチンコ機は、その裏面側に、遊技を制御する制御基板を収容した基板ケースを備えている。この基板ケースは、その内部に制御基板を被包して収容するためのベース部とカバー部とを備えている。さらに、この基板ケースは、当該ケースを封止するための封止機構を備えている。この封止機構は所定箇所を破壊しない限り開封できない構造となっており、その封止機構を破壊してケースを開封した場合には、封止機構の破壊に基づいて開封（正規開封、不正開封の種類を問わず）の有無が確認でき、不正開封防止が図られている（例えば、特許文献：特開２００５−１５２２９７号公報を参照）。
【０２９９】
しかしながら、このような構成を有する従来例の場合には、次のような問題がある。
すなわち、上述のパチンコ機では、例えば、封止機構を構成する係止ピンを巧妙に破壊し、基板ケースを不正に開封して制御基板に不正を施した後に、当該破壊した係止ピンを破壊されていないように見せかけて封止機構に戻されるおそれがある。このような場合には、封止機構への不正痕跡を発見し辛く、基板ケースの不正な開封の発見が遅れてしまうという問題がある。
【０３００】
また、不正行為者によって、連結部が切断されて基板ケースが不正に開封され、制御基板に不正を施した後に、その切断された封止機構を元通りに配置し直したりするおそれがある。この場合には、連結部の切断痕跡を発見し辛く、基板ケースの不正な開封の発見が遅れてしまうという問題がある。
【０３０１】
上述したように、遊技場関係者等は、封止機構及び連結部の両方について、詳細に目視確認等を行わなければならないため、基板ケースに対する不正行為の痕跡の発見に手間がかかるのみならず、基板ケースの不正な開封を見落とすおそれがあり、不正行為を低減できないという問題がある。
【０３０２】
以下の発明は、このような事情等に鑑みてなされたものであって、封止機構及び連結部に対する不正痕跡を容易に発見でき、不正行為を低減できる遊技機を提供することを目的とする。
【０３０３】
（Ｂ０）  第１部材と、第２部材と、前記第１部材と第２部材との結合状態を解除不可に封止する封止手段と、前記第１部材と前記第２部材の少なくとも一方と前記封止手段とを連結する連結部と、を備えた遊技機において、
前記封止手段による封止を解除する場合に前記第１部材と前記第２部材の少なくとも一方と前記封止手段とを切り離すために切断される、前記連結部の所定部位である被切断部位と、
光源からの光が一端側から入射され、前記被切断部位を切断していない状態では他端側である出射端側から出射された光を前記封止手段に入射し、前記被切断部位を切断した状態では前記封止手段への光の入射が低減される光伝送部材と、
を備えていることを特徴とする遊技機。
【０３０４】
前記（Ｂ０）に記載の遊技機によれば、被切断部位を切断していない通常状態では、光伝送部材の出射端側から出射された光が封止手段に入射されているので、封止手段が例えば入射光を内部で拡散させて外周面から出射する光学部材である場合には封止手段が発光し、被切断部位ではなく封止手段に遊技場関係者等を着目させることができ、封止手段を明るく見易い状態で目視確認ができ、封止手段に対する不正の有無が確認し易い。
【０３０５】
一方、被切断部位の切断後状態では、封止手段の発光量が低減するので、被切断部位が切断されたことを遊技場関係者等に知らせることができる。
【０３０６】
また、封止手段が例えば入射光がその入射方向に伝搬する光学部材である場合には、不正行為者が被切断部位ではなく封止部材を切断したり切れ目を入れたりするとその箇所が発光するので、封止手段への不正切断行為を発見し易い。また、不正行為者が被切断部位を切断したときは、当該被切断部位または光伝送部材の切断端部位の発光により、不正行為を発見し易い。
【０３０７】
よって、封止手段または連結部に対する不正痕跡を容易に発見でき、不正行為を低減できる遊技機を提供することができる。
【０３０８】
（Ｂ１）  前記（Ｂ０）に記載の遊技機において、
前記光伝送部材が少なくとも前記被切断部位の内部を通すようにして前記第１部材または前記第２部材から前記封止手段まで設けられ、
前記被切断部位の切断に伴ってその切断された前記光伝送部材の切断端部位が当該被切断部位の切断面から内側に引き込まれるように付勢する付勢手段を備え、
前記被切断部位を切断していない通常状態では、前記光伝送部材の前記出射端側から出射された光で前記封止手段が発光し、
前記被切断部位の切断後状態では、引き込まれた前記光伝送部材の切断端部位から出射された光で、当該被切断部位が発光する
ことを特徴とする遊技機。
【０３０９】
前記（Ｂ１）に記載の遊技機によれば、被切断部位を切断していない通常状態では、光伝送部材の出射端側から出射された光で封止手段が発光するので、被切断部位ではなく封止手段に遊技場関係者等を着目させることができ、封止手段を明るく見易い状態で目視確認ができ、封止手段に対する不正の有無が確認し易い。
【０３１０】
一方、被切断部位の切断後状態では、引き込まれた光伝送部材の切断端部位から出射された光で被切断部位が発光するので、被切断部位が切断されたことを遊技場関係者等に知らせることができる。また、不正行為者によって、連結部が切断されて第１部材と第２部材との結合状態が解除されて不正行為がなされた後に、その切断された連結部を元通りに配置し直したりしても、当該被切断部位が光の乱反射で目立ち、連結部への破壊痕跡を発見し易い。
【０３１１】
また、切断された光伝送部材の切断端部位は、被切断部位の切断面から内側に引き込まれるので、その切断端部位にアクセスすることが困難になり、光伝送部材の切断端部位を不正に再接続することを低減できる。
【０３１２】
上述したように、被切断部位の切断前では封止手段に、被切断部位の切断後では当該被切断部位に、遊技場関係者等を注視させることができ、被切断部位の切断前と切断後とに応じた報知を行うことができる。
【０３１３】
よって、封止手段及び連結部に対する不正痕跡を容易に発見でき、不正行為を低減できる遊技機を提供することができる。
【０３１４】
（Ｂ２）  前記（Ｂ１）に記載の遊技機において、
前記封止手段は、
前記第１部材と前記第２部材との結合状態での所定箇所に連通形成された係止穴を有する被封止部と、
前記被封止部の前記係止穴に挿入されて係止する挿入係止部と当該挿入係止部の挿入後端側に位置する頭部とを有する係止部材と、
前記被封止部の前記係止穴に前記係止部材を挿入して係止させた状態にて当該被封止部での前記係止部材の前記頭部の箇所に充填して硬化させた光透過性の硬化樹脂と、
を備え、
前記光伝送部材は、その出射端側から出射された光を前記硬化樹脂に導入するように配設され、
前記被切断部位を切断していない通常状態では、前記光伝送部材の前記出射端側から出射された光が前記封止手段での前記硬化樹脂に入射される
ことを特徴とする遊技機。
【０３１５】
前記（Ｂ２）に記載の遊技機によれば、被切断部位を切断していない通常状態では、光伝送部材の出射端側から出射された光が封止手段の硬化樹脂に入射されるので、この入射光が硬化樹脂内の光拡散粒子によって拡散されて外部に出射される場合には、硬化樹脂が一様に発光し、封止手段の硬化樹脂を明るく見易い状態で目視確認ができ、係止部材の頭部の箇所に充填された硬化樹脂に対する不正の有無が確認し易い。また、硬化樹脂が光拡散粒子を含まない場合には、封止手段の被封止部での硬化樹脂が削られたり切れ目が入れられたりすると、その硬化樹脂の削れ部位や切れ目箇所から光が出射されるので、削れ部位や切れ目箇所が発光によって目立ち、硬化樹脂への破壊痕跡を発見し易い。
【０３１６】
さらに、被封止部での硬化樹脂と接する所定箇所のうちで少なくとも、光伝送部材の出射端側からの光が硬化樹脂（光拡散粒子を含まない場合に限る）の内部を進んで到達する箇所に、光吸収部材（例えば、可視光を吸収するフィルター、フィルム、シートまたは光吸収層など）を設けるようにしてもよい。この場合には、光伝送部材の出射端側からの光が硬化樹脂（光拡散粒子を含まない場合に限る）の内部に入射されるものの光吸収部材で吸収されて硬化樹脂が発光することはないが、硬化樹脂が削られたり切れ目が入れられたりすると、その硬化樹脂の削れ部位や切れ目箇所から光が出射される。つまり、通常は発光していない硬化樹脂を削ったり切れ目を入れたりすると、その削れ部位や切れ目箇所が発光することで特に目立ち、硬化樹脂への破壊痕跡をさらに発見し易くできる。
【０３１７】
（Ｂ３）  前記（Ｂ２）に記載の遊技機において、
前記係止部材の前記頭部は、当該頭部から分離され易い脆弱部を備え、
前記脆弱部は、前記硬化樹脂により前記被封止部に接着されている
ことを特徴とする遊技機。
【０３１８】
前記（Ｂ３）に記載の遊技機によれば、係止部材の頭部の脆弱部は、分離され易く、且つ、硬化樹脂により被封止部に接着されているので、係止部材の頭部周辺の硬化樹脂を不正行為者が削り取ろうとすると、削り取られた硬化樹脂と一緒に脆弱部も取れてしまう。この取れた脆弱部を元通りに被封止部に戻したとしても、その戻した脆弱部と頭部との境界面が光の乱反射で目立ち、係止部材への破壊痕跡を発見し易い。
【０３１９】
（Ｂ４）  前記（Ｂ１）から（Ｂ３）のいずれか一つに記載の遊技機において、
前記被切断部位の切断後状態では、引き込まれた前記光伝送部材の切断端部位が位置する、前記第１部材または前記第２部材での所定箇所である切断報知用表示箇所が発光する
ことを特徴とする遊技機。
【０３２０】
前記（Ｂ４）に記載の遊技機によれば、被切断部位の切断後状態では、引き込まれた光伝送部材の切断端部位が位置する、第１部材または第２部材での切断報知用表示箇所が発光するので、切断報知用表示箇所が点灯していることで、連結部の切断を遊技場関係者等に明確に知らせることができる。また、切断された光伝送部材の切断端部位は、被切断部位の切断面から内側に引き込まれて切断報知用表示箇所に位置しているので、その切断端部位にアクセスすることが困難になり、光伝送部材の切断端部位を不正に再接続することを低減できる。
【０３２１】
（Ｂ５）  前記（Ｂ２）に記載の遊技機において、
前記被封止部は、前記係止穴の開口側の内周箇所に突出形成されて、前記硬化樹脂により前記係止部材の前記頭部に接着された脆弱部をさらに備えている
ことを特徴とする遊技機。
【０３２２】
前記（Ｂ５）に記載の遊技機によれば、被封止部の係止穴は、硬化樹脂により係止部材の頭部に接着された脆弱部を備えているので、封止手段の硬化樹脂を不正な細状部材を用いて除去しようとすると、硬化樹脂の不正な除去に伴って被封止部の脆弱部が破壊され、その除去した硬化樹脂と一緒に脆弱部が取れてしまう。この取れた脆弱部を元通りに被封止部に戻したとしても、その戻した脆弱部と頭部との境界面が光の乱反射で目立ち、係止部材への破壊痕跡を発見し易い。
【０３２３】
（Ｂ６）  前記（Ｂ１）から（Ｂ５）のいずれか一つに記載の遊技機において、
前記遊技機はパチンコ機であることを特徴とする遊技機。
【０３２４】
前記（Ｂ６）に記載の遊技機によれば、封止手段及び連結部に対する不正痕跡を容易に発見でき、不正行為を低減できるパチンコ機を提供できる。
【０３２５】
（Ｂ７）  前記（Ｂ１）から（Ｂ５）のいずれか一つに記載の遊技機において、
前記遊技機はスロットマシンであることを特徴とする遊技機。
【０３２６】
前記（Ｂ７）に記載の遊技機によれば、封止手段及び連結部に対する不正痕跡を容易に発見でき、不正行為を低減できるスロットマシンを提供できる。
【０３２７】
（Ｂ８）  前記（Ｂ１）から（Ｂ５）のいずれか一つに記載の遊技機において、
前記遊技機はパチンコ機とスロットマシンとを融合させたものであることを特徴とする遊技機。
【０３２８】
前記（Ｂ８）に記載の遊技機によれば、封止手段及び連結部に対する不正痕跡を容易に発見でき、不正行為を低減できる、パチンコ機とスロットマシンとを融合させたものを提供できる。
【０３２９】
なお、本明細書に開示する種々の発明に関して、全ての構成要素について種々の組み合わせが可能であり、他の構成要件がなくても単独で発明として成立する点に留意されたい。
【産業上の利用可能性】
【０３３０】
以上のように、この発明は、パチンコ機やスロットマシン等の遊技機に適している。
【符号の説明】
【０３３１】
７１  …ケース上（第１部材、第１ケース体）
７２  …ケース下（第２部材、第２ケース体）
７３  …主制御基板（制御基板）
７４  …基板ケース（遊技機用基板収容ケース、結合部材）
７８  …切断報知用表示箇所
１４０  …封止部材（封止手段）
１５０  …被封止部
１５１  …有底係止穴（係止穴）
１５４  …脆弱部
１５５  …切り欠き溝部
１６０  …かしめ部材（係止部材）
１６１  …挿入係止部
１６２  …頭部
１６３  …脆弱部
１６４  …延出部
１７０  …硬化樹脂
２００  …間隙部
３１０  …ＬＥＤ（光源）
３２０  …光ファイバー（伝送部材、光伝送部材）
３２３  …カール部（付勢手段）
３２５  …光出力部（出射部）
３６０  …遮蔽部（終端部）
３７０  …検出器（検出手段）
３７５  …表示部（示唆手段）
【図１】
0005644425.tif 000002
【図２】
0005644425.tif 000003
【図３】
0005644425.tif 000004
【図４】
0005644425.tif 000005
【図５】
0005644425.tif 000006
【図６】
0005644425.tif 000007
【図７】
0005644425.tif 000008
【図８】
0005644425.tif 000009
【図９】
0005644425.tif 000010
【図１０】
0005644425.tif 000011
【図１１】
0005644425.tif 000012
【図１２】
0005644425.tif 000013
【図１３】
0005644425.tif 000014
【図１４】
0005644425.tif 000015
【図１５】
0005644425.tif 000016
【図１６】
0005644425.tif 000017
【図１７】
0005644425.tif 000018
【図１８】
0005644425.tif 000019
【図１９】
0005644425.tif 000020
【図２０】
0005644425.tif 000021
【図２１】
0005644425.tif 000022
【図２２】
0005644425.tif 000023
【図２３】
0005644425.tif 000024
【図２４】
0005644425.tif 000025
【図２５】
0005644425.tif 000026
【図２６】
0005644425.tif 000027
【図２７】
0005644425.tif 000028
【図２８】
0005644425.tif 000029
【図２９】
0005644425.tif 000030
【図３０】
0005644425.tif 000031
【図３１】
0005644425.tif 000032
【図３２】
0005644425.tif 000033
【図３３】
0005644425.tif 000034
【図３４】
0005644425.tif 000035
【図３５】
0005644425.tif 000036
【図３６】
0005644425.tif 000037
【図３７】
0005644425.tif 000038
【図３８】
0005644425.tif 000039
【図３９】
0005644425.tif 000040
【図４０】
0005644425.tif 000041
【図４１】
0005644425.tif 000042
【図４２】
0005644425.tif 000043
【図４３】
0005644425.tif 000044